【事件の表示】
　特許第３１２７７９６号「情報記録再生装置」の請求項１ないし１９に係る特許に対する特許異議の申立てについて、次のとおり決定する。
【結　論】
　訂正を認める。
　特許第３１２７７９６号の請求項１２に係る特許を取り消す。
　同請求項１ないし１１、１３ないし１８に係る特許を維持する。
【理　由】
１．手続の経緯
 本件の出願に係る手続の経緯は以下のとおりである。
特許出願　　　　　　　　　平成　７年１０月　５日
特許権設定登録　　　　　　平成１２年１０月２３日
特許異議申立（申立人村戸良至、請求項１乃至１９にかかる特許に対して）
　　　　　　　　　　　　　平成１３年　７月３０日
取消理由通知　　　　　　　平成１４年　３月１９日
訂正請求　　　　　　　　　平成１４年　６月２４日
　
２．訂正の適否
（１）訂正の内容
　訂正事項１
　特許請求の範囲の記載を次のとおり訂正する。
【請求項１】情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用する一時記憶領域管理手段と、上位機器からの処理要求内容と前記一時記憶手段の各領域の使用状況を示す一時記憶領域管理情報とから、処理要求のあったブロックが前記記録媒体のファイル本体であるデータ部に対応するか、あるいはそのデータ部の位置やつながりを示す管理情報部に対応するかを判別する判別手段とを備え、前記一時記憶領域管理手段は、前記判別手段の判別結果が管理情報部であれば前記一時記憶手段の管理情報部用の領域を割り当て、前記判別手段の判別結果がデータ部であればデータ部用の領域を割り当てるように構成した情報記録再生装置。
　
【請求項２】前記判別手段は、上位機器からの記録または再生の処理要求長を測定する手段を有し、前記測定結果が所定長以下であれば管理情報部と認識し、所定長より大きければデータ部と認識する請求項１記載の情報記録再生装置。
　
【請求項３】前記判別手段は、上位機器からの記録または再生の処理要求ブロックの中の先頭論理ブロックアドレスが前記一時記憶手段に格納されているデータの中の先頭論理ブロックアドレスよりも小さければ管理情報部と認識し、上位機器からの記録または再生の処理要求ブロックの中の先頭論理ブロックアドレスが前記一時記憶手段に格納されているデータの中の先頭論理ブロックアドレス以上であれば、データ部と認識する請求項１記載の情報記録再生装置。
　
【請求項４】前記判別手段は、前記一時記憶手段の複数の領域の中でデータ部と判別されている一時記憶領域に格納されているデータの中の先頭論理ブロックアドレスから上位機器からの記録または再生の処理要求ブロックの中の先頭論理ブロックアドレスを減算した差が正でかつ所定の値よりも大きければ管理情報部と認識し、前記差が負、０、または正でかつ所定の値以下であればデータ部と認識する請求項１記載の情報記録再生装置。
　
【請求項５】前記判別手段は、上位機器からの処理要求アドレスが記録媒体の管理情報部のアドレスに対応する場合には管理情報部と認識し、対応しなければデータ領域と認識する請求項１記載の情報記録再生装置。
　
【請求項６】前記一時記憶領域配置手段は、前記一時記憶手段の容量配分を、データ部の一時記憶領域には管理情報部の領域よりも大きな領域を配分するように一時記憶手段を不等分割するか、または複数個設けた一時記憶手段においてデータ部用の一時記憶手段として管理情報部用のものよりも大きな一時記憶手段を割り当てるものである請求項１〜５のいずれかに記載の情報記録再生装置。
　
【請求項７】一時記憶領域配置手段は前記一時記憶手段の一時記憶領域の配置を、管理情報部の領域をさらに１より大きな複数の領域に分割するか、または１より大きな複数の一時記憶手段を設けるものである請求項１〜６のいずれかに記載の情報記録再生装置。
　
【請求項８】前記一時記憶手段の各領域の使用状況を示す一時記憶領域管理情報は、各領域に格納しているデータの開始論理ブロックアドレス、格納ブロック数、および再生データか記録要求データかを区別する制御情報を有する請求項１〜７のいずれかに記載の情報記録再生装置。
【請求項９】請求項２及び３に記載の判別手段の組合せ、または、請求項２及び４に記載の判別手段の組合せから選択した判別手段のうち２以上の複数の判別手段を備えた情報記録再生装置。
　
【請求項１０】前記一時記憶手段は１つの一時記憶領域ごとに、または管理情報部用またはデータ部ごとに１つの記憶装置を用いたものである請求項１記載の情報記録再生装置。
　
【請求項１１】請求項２及び３に記載の判別手段の組合せ、または、請求項２及び４に記載の判別手段の組合せから選択した判別手段のうち２以上の複数の判別手段を備えた請求項１０記載の情報記録再生装置。
　
【請求項１２】情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用し、前記一時記憶手段のうち１または１より大きい数の領域を記録媒体の所定の領域にのみ割り当てて使用する一時記憶領域管理手段とを備えた情報記録再生装置。
　
【請求項１３】前記一時記憶領域の分割および記録媒体への割り当てを、上位機器からの指示に従って任意に変更することを可能にする手段をさらに備えた請求項１２載の情報記録再生装置。
　
【請求項１４】前記一時記憶領域管理手段は、前記一時記憶領域の分割および記録媒体への割り当てを、上位機器または使用者のうちいずれか一方によって与えられた設定に従って、規定された割り当て方法の中から自動的に選択するものである請求項１２記載の情報記録再生装置。
　
【請求項１５】前記一時記憶領域管理手段は、分割された一時記憶手段の一つの領域に対する記録媒体上の領域のアクセス回数が所定の値より小さく、かつ前記記録媒体上の領域とは異なる領域に対するアクセス回数が所定の値より大きい場合に、前記一時記憶手段の分割および記録媒体への割り当てを自動的に変更するものである請求項１４記載の情報記録再生装置。
　
【請求項１６】前記一時記憶領域領域管理手段は、分割された一時記憶手段の一つの領域に対する記録媒体上の領域のアクセス回数の全アクセス回数に対する比が所定の値より小さく、かつ前記記録媒体上の領域とは異なる領域に対するアクセス回数の全アクセス回数に対する比が所定の値より大きい場合に、前記一時記憶手段の分割および記録媒体への割り当てを自動的に変更するものである請求項１４記載の情報記録再生装置。
　
【請求項１７】前記分割された一時記憶手段に割り当てられた記録媒体上のデータを、そのデータが上位機種より読み出し要求される前の任意のタイミングで、あらかじめ対応する一時記憶領域に読み込む手段をさらに備えた請求項１２〜１６のいずれかに記載の情報記録再生装置。
　
【請求項１８】複数に分割され、または複数個設けられた一時記憶領域の一時記憶領域管理手段として請求項１または１２少なくとも何れか一方に記載された情報記録再生装置の一時記憶領域管理手段のうち２以上の任意の組み合わせによる複数の一時記憶領域管理手段を備えた情報記録再生装置。」
　
　訂正事項２
　明細書段落番号【００１２】の【課題を解決するための手段】の記載を「この目的を解決するために本発明の情報記録再生装置は、その第１の構成は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用する一時記憶領域管理手段と、上位機器からの処理要求内容と前記一時記憶手段の各領域の使用状況を示す一時記憶領域管理情報とから、処理要求のあったブロックが前記記録媒体のファイル本体であるデータ部に対応するか、あるいはそのデータ部の位置やつながりを示す管理情報部に対応するかを判別する判別手段とを備え、前記一時記憶領域管理手段は、前記判別手段の判別結果が管理情報部であれば前記一時記憶手段の管理情報部用の領域を割り当て、前記判別手段の判別結果がデータ部であればデータ部用の領域を割り当てるようなものとなっている。」と訂正する。
　
　訂正事項３
　明細書段落番号【００１６】〜【００３４】の記載を「【００１６】【発明の実施の形態】
　本発明の請求項１に記載の発明は、情報を特定のブ口ツク単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用する一時記憶領域管理手段と、上位機器からの処理要求内容と前記一時記憶手段の各領域の使用状況を示す一時記憶領域管理情報とから、処理要求のあったブロックが前記記録媒体のファイル本体であるデータ部に対応するか、あるいはそのデータ部の位置やつながりを示す管理情報部に対応するかを判別する判別手段とを備え、前記一時記憶領域管理手段は、前記判別手段の判別結果が管理情報部であれば前記一時記憶手段の管理情報部用の領域を割り当て、前記判別手段の判別結果がデータ部であればデータ部用の領域を割り当てるように構成した各種の上位機器に適した一時記憶手段の有効利用と、管理情報部とデータ部とのアクセス回数の削減を行う事によりアクセスに要する時間を短縮することができるという作用を有する。
【００１７】
　請求項２に記載の発明は、前記判別手段として、上位機器からの記録または再生の処理要求長を測定する手段を有し、前記測定結果が所定長以下であれば管理情報部と認識し、所定長より大きければデータ部と認識するものであり、管理情報部とデータ部の認識を高速に行い、一時記憶手段の有効利用と、管理情報部とデータ部とのアクセス回数の削減を行うことにより、アクセスに要する時間を短縮できるという作用を有する。
【００１８】
　請求項３に記載の発明は、前記判別手段として、上位機器からの記録または再生の処理要求ブロックの中の先頭論理ブロックアドレスが前記一時記憶手段に格納されているデータの中の先頭論理ブロックアドレスよりも小さければ管理情報部と認識し、上位機器からの記録または再生の処理要求ブロックの中の先頭論理ブロックアドレスが前記一時記憶手段に格納されているデータの中の先頭論理ブロックアドレス以上であれば、データ部と認識するものであり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
【００１９】
　請求項４に記載の発明は、前記判別手段として、前記一時記憶手段の複数の領域の中でデータ部と判別されている一時記憶領域に格納されているデータの中の先頭論理ブロックアドレスから上位機器からの記録または再生の処理要求ブロックの中の先頭論理ブロックアドレスを減算した差が正でかつ所定の値よりも大きければ管理情報部と認識し、前記差が負、または０、または正でかつ所定の値以下であればデータ部と認識するものであり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
【００２０】
　請求項５に記載の発明は、前記判別手段として、上位機器からの処理要求アドレスが記録媒体の管理情報部のアドレスに対応する場合には管理情報部と認識し、対応しなければデータ領域と認識するものであり、簡単な構成で管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
【００２１】
　請求項６に記載の発明は、前記一時記憶領域配置手段として、前記一時記憶手段の容量配分を、データ部の一時記憶領域には管理情報部の領域よりも大きな領域を配分するように一時記憶手段を不等分割するか、または複数個設けた一時記憶手段においてデータ部用の一時記憶手段として管理情報部用のものよりも大きな一時記憶手段を割り当てるものである請求項１〜５のいずれかに記載の情報記録再生装置であり、各種の上位機器に適し、容量の大きなデータを扱う際の一時記憶手段の有効利用図ることができるという作用を有する。
【００２２】
　請求項７に記載の発明は、一時記憶配置手段として前記一時記憶手段の一時記憶領域の配置を、管理情報部の領域をさらに１より大きな複数の領域に分割するか、または１より大きな複数の一時記憶手段を設けるものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
【００２３】
　請求項８に記載の発明は、前記一時記憶手段の各領域の使用状況を示す一時記憶領域管理情報として、各領域に格納しているデータの開始論理ブロックアドレス、格納ブロック数、および再生データか記録要求データかを区別する制御情報を有する請求項１〜７のいずれかに記載の情報記録再生装置であり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
【００２４】
　請求項９に記載の発明は、請求項２及び３に記載の判別手段の組合せ、または、請求項２及び４に記載の判別手段の組合せから選択した判別手段のうち２以上の複数の判別手段を備えた情報記録再生装置であり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
【００２５】
　請求項１０に記載の発明は、前記一時記憶手段として１つの一時記憶領域ごとに、または管理情報部用またはデータ部ごとに１つの記憶装置を用いたものであり、より大きな容量のデータを扱う際に一時記憶手段の有効利用と、管理情報部とデータ部とのアクセス回数の削減を行うことにより、アクセスに要する時間を短縮できるという作用を有する。
【００２６】
　請求項１１に記載の発明は、請求項２及び３に記載の判別手段の組合せ、または、請求項２及び４に記載の判別手段の組合せから選択した判別手段のうち２以上の複数の判別手段を備えた請求項１０記載の情報記録再生装置であり、
より大きな容量のデータを扱う際においても、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
【００２７】
　請求項１２に記載の発明は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用し、前記一時記憶手段のうち１または１より大きい数の領域を記録媒体の所定の領域にのみ割り当てて使用する一時記憶領域管理手段とを備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
【００２８】
　請求項１３に記載の発明は、前記一時記憶領域の分割および記録媒体への割り当てを、上位機器からの指示に従って任意に変更することを可能にする手段をさらに備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要す，る時間を短縮できるという作用を有する。
【００２９】
　請求項１４に記載の発明は、前記一時記憶領域管理手段として、前記一時記憶領域の分割および記録媒体への割り当てを、上位機器または使用者のうちいずれか一方によって与えられた設定に従って、規定された割り当て方法の中から自動的に選択する一時記憶管理手段を備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
【００３０】
　請求項１５に記載の発明は、前記一時記憶領域管理手段として、分割された一時記憶手段の一つの領域に対する媒体上の領域のアクセス回数が所定の値より小さく、かつ前記媒体上の領域とは異なる領域に対するアクセス回数が所定の値より大きい場合に、前記一時記憶手段の分割および記録媒体への割り当てを自動的に変更する一時記憶管理手段を備えたものであり、各種の上位機器に適し、複数の管理領域に分割された容量の大きな記録媒体を扱う際の一時記憶手段の有効利用図り，管理情報部とデータ部とのアクセス回数の削減を行うことにより、アクセスに要する時間を短縮できるという作用を有する。
【００３１】
　請求項１６に記載の発明は、前記一時記憶領域管理手段として、分割された一時記憶手段の一つの領域に対する媒体上の領域のアクセス回数の全アクセス回数に対する比が所定の値より小さく、かつ前記媒体上の領域とは異なる領域に対するアクセス回数の全アクセス回数に対する比が所定の値より大きい場合に、前記一時記憶手段の分割および記録媒体への割り当てを自動的に変更するものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
【００３２】
　請求項１７に記載の発明は、前記分割された一時記憶手段に割り当てられた前記記録媒体上のデータを、そのデータが上位機器より読み出し要求される前の任意のタイミングで、あらかじめ対応する一時記憶領域に読み込む手段をさらに備えた請求項１２〜１６のいづれかに記載の情報記録再生装置であり、各種の上位機器に適し、複数の管理領域に分割された容量の大きな記録媒体を扱う際の一時記憶手段の有効利用図り、処理の行われない時間を利用することと、管理情報部とデータ部とのアクセス回数の削減を行うことにより、アクセスに要する時間を短縮できるという作用を有する。
【００３３】
　請求項１８に記載の発明は、複数に分割され、または複数個設けられた一時記憶手段の一時記憶管理手段として、請求項１または１２少なくとも何れか一方に記載された情報記録再生装置の一時記憶領域管理手段のうち２以上の任意の組み合わせによる複数の一時記憶領域管理手段を備えた情報記録再生装置であり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。」と訂正する。
　
　訂正事項４
　明細書段落番号【００３８】の記載を「【００３７】また上記の制御情報は、格納データが再生データ、記録要求データ、あるいは無効データかを示す情報、または各々の一時記憶領域に対するアクセスパターンによる連続領域に対するアクセスが１つの領域に対して空間的、時間的に連続しているかどうかを示す情報である。判別手段１３は、ホストコンピュータからの処理要求のあったブロック数が所定値（例えば１６ブロック）以下であって、かつ一時記憶領域管理情報の領域Ｄの格納データの先頭ＬＢＡから処理要求のあった領域の先頭ＬＢＡを減算した差が所定値（例えば３２）よりも大きい場合には管理情報部と認識する。」と訂正する。
　
　訂正事項５
　明細書段落番号【００３９】の記載を「【００３８】ホストコンピュータからの処理要求のあったブロック数が所定値（例えば１６ブロック）以下であって、かつ一時記憶領域管理情報の領域Ｄの格納データの先頭ＬＢＡから処理要求のあった領域の先頭ＬＢＡを減算した差が負か、または０か、または正であっても所定値（例えば３２ブロック）以下である場合には判別手段１３はデータ部と認識する。ホストコンピュータからの処理要求のあったブロック数が所定値（例えば１６ブロック）以下であっても上記差が所定値（例えば１２８ブロック）以上である場合には判別手段１３は管理情報部と認識する。この認識結果は一時記憶領域管理手段１２に通知される。一時記憶領域管理手段１２は、認識結果が管理情報部であれば、一時記憶手段１７において領域Ａ、領域Ｂ、または領域Ｃを割り当て、データ部であれば一時記憶手段１７において領域Ｄを割り当てる。」と訂正する。
　
　訂正事項６
　明細書段落番号【００４３】の記載を「【００４３】（処理番号４）次の領域４に対する６３ブロックの記録処理要求に対しては、記録要求ブロック数が１６よりも大きいため、判別手段１３によりデータ部と認識され、この結果を受けた一時記憶領域管理手段１２により領域４は領域Ｄに割り当てられる。
【００４４】
（処理番号５）次の領域３に対する１ブロックの記録処理要求に対して、記録要求ブロック数は１であるが、領域Ｄの格納データの先頭ＬＢＡである３００１ｈから記録要求先頭ＬＢＡである３０００ｈを減算した差が１であり、３２以下であるので、判別手段１３によりデータ部と認識され、一時記憶領域管理手段１２はこの結果を受けて、領域Ｄを割り当てる。さらに、前述したように領域Ｄの格納データの先頭ＬＢＡと記録要求ＬＢＡとの差が１であるため、判別手段１３は領域４を領域Ｄに対する連続したアクセスと認識し、制御情報に連続アクセスがあったことを設定する。」と訂正する。
　
　訂正事項７
　明細書段落番号【００４４】の記載を「【００４５】（処理番号６）次の領域１に対する２度めの１ブロックの記録処理要求に対して、領域Ｄの格納データの先頭ＬＢＡは３０００ｈであるから、領域１の先頭ＬＢＡである１００ｈとの差は２ＦＯ０ｈであり３２よりも大きいので、判別手段１３により管理情報部と認識され、この結果を受けた一時記憶領域管理手段１２は領域Ａに割り当てる。」と訂正する。
　
　訂正事項８
　明細書段落番号【００４５】の記載を「【００４６】（処理番号７）次の領域２に対する２度めの１ブロックの記録処理要求に対しては、同様に処理され、一時記憶領域管理手段１２は領域Ｂに割り当てる。
【００４７】
（処理番号８）次に領域７に対する１６ブロックの記録処理要求に対して領域Ｄの格納データの先頭ＬＢＡは３０００ｈであり、これは領域７の先頭ＬＢＡ５０００ｈとの差をとれば負であるが、領域７の記録処理要求は１６ブロックであるため所定値の３２より小さく、その上領域Ｄは前述したように連続アクセス中と認識されているので、判別手段１３により管理情報部と認識され、結果が一時記憶領域管理手段１２に通知され、領域Ｃに割り当てられる。さらに、領域Ｄに対する連続アクセスは中断されたと認識し、制御情報に連続アクセスが中止されたことを設定する。」と訂正する。
　
　訂正事項９
　明細書段落番号【００４６】の記載を「【００４８】（処理番号９）次の領域６に対する６３ブロックの記録処理要求に対しては、記録要求ブロック数が１６より大きいため、判別手段１３によりデータ部と認識され、この結果を受けた一時記憶領域管理手段１２は領域Ｄを割り当てる。
　以後同様の動作を繰り返し、図６に示すように一時記憶手段１７の割り当て状態が遷移することになる。このように、一度データ領域のデータが一時記憶手段の領域Ｄに格納されると、先ず記録要求ブロック数と所定ブロック数（本例では１６）とを比較し、次に領域Ｄの格納データの先頭ＬＢＡから記録要求の先頭ＬＢＡを減算した差と所定値（本例では３２）との比較を行い、その結果記録要求ブロック数が所定ブロック数（本例では１６）以下で、先頭ＬＢＡ間の差が所定値（本例では３２）よりも大きければ、判別手段１３は管理情報部と認識する。但し、前述したように、先頭ＬＢＡ間の差が所定値（本例では１２８ブロック）以上の場合は、記録要求ブロック数が所定ブロック数よりも大きくとも判断手段１３は管理情報部と認識する。すなわち、一度データ領域のデータが一時記憶手段の領域Ｄに格納された以後の管理情報部への１ブロックのアクセスに対しては、領域Ａ、領域Ｂまたは領域Ｃを割り当てることになる。」と訂正する。
　
（２）訂正の目的の適否、新規事項の有無及び特許請求の範囲の拡張・変更の存否
　上記訂正につき、検討する。
　訂正事項１：訂正事項１は、請求項６を削除し、その削除に伴って請求項７乃至１５及び１７について、請求項の内容を実質的に変えるものではなく、態様を変えたものである。
　また、請求項１６、１８及び１９について引用する請求項を削減したものである。
　したがって、この訂正は、特許請求の範囲の縮減を目的とするものであり、新規事項の追加に該当せず、実質上特許請求の範囲を拡張し、または変更するものではない。
　訂正事項２：訂正事項２は、訂正事項１にともなう発明の詳細な説明の訂正であり、訂正事項１において検討したとおり、不明瞭な記載の釈明であって、実質上特許請求の範囲を拡張し、または変更するものではない。
　訂正事項３：訂正事項３は、訂正事項１にともなう発明の詳細な説明の訂正であり、訂正事項１において検討したとおり、不明瞭な記載の釈明であって、実質上特許請求の範囲を拡張し、または変更するものではない。
　訂正事項４：訂正事項４は、制御情報と判別手段が認識する条件に関する訂正である。
　制御情報の訂正は「格納データが再生データか、記録要求データか、または無効データかを示す情報と、各々の一時記憶領域に対するアクセスパターンが、連続領域に対するアクセスが１つの領域に対して空間的、時間的に連続しているかどうかを示すものである。」を、「格納データ、再生データ、記録要求データ、あるいは無効データかを示す情報、または各々の一時記憶領域に対するアクセスパターンによる連続領域に対するアクセスが１つの領域に対して空間的、時間的に連続しているかどうかを示す情報である。」に訂正しようとするものであるが、この訂正は、制御情報について「連続しているかどうかを示す情報」と「構成する各種データ」とが並列的関係であるため、両者を「または」で接続するとともに「示す情報」としたものであって、明りょうでない記載の釈明に相当するものであり、実質上特許請求の範囲を拡張し、または変更するものではない。
　また、判別手段が認識する条件にかかる「領域Ｄの格納データの先頭ＬＢＡ」と「処理要求のあった領域の先頭ＬＢＡ」との差を求める減算の方向を明瞭化する訂正は、願書に最初に添付の明細書段落番号【００４１】〜【００４５】に記載の各ＬＢＡと符号等の関係に基づき「領域Ｄの格納データの先頭ＬＢＡ」と「処理要求のあった領域の先頭ＬＢＡ」との差を求める減算の方向を明瞭化したものであるから、明りょうでない記載の釈明に相当するものであり、実質上特許請求の範囲を拡張し、または変更するものではない。
　訂正事項５：訂正事項５は、「領域Ｄの格納データの先頭ＬＢＡと処理要求のあった領域の先頭ＬＢＡとの差を演算する方向」、「当該差に基づく判断基準の前提条件」及び「認識する主体」を明確化したものであり、当該演算の方向は願書に最初に添付の明細書段落番号【００４１】〜【００４５】に記載の両先頭ＬＢＡのアドレス番地から明らかであり、判断基準の前提条件及び判断基準の前提条件認識する主体は願書に最初に添付した明細書段落番号【００３８】の記載に基づいている。
　したがって、この訂正は、「両先頭ＬＢＡの差の演算方向、演算結果に基づく判断基準及び認識判断する主体」を明確化したものであるから、明りょうでない記載の釈明に相当し、実質上特許請求の範囲を拡張し、または変更するものではない。
　訂正事項６：訂正事項６は、（処理番号４）における「７Ｆｈ」を「６３」に訂正し、及び（処理番号５）における「両先頭ＬＢＡの差を算出する方向」を明確化するとともに、「（処理番号５）における判別手段１３が連続アクセスとの認識をした理由」を明確化したものであり、（処理番号４）における訂正事項は願書に最初に添付した図面の図５に基づくものであって、（処理番号５）における両先頭ＬＢＡの差を算出する方向に関しては（処理番号５）における両先頭ＬＢＡ値と差の値から明白であり、（処理番号５）において領域４を領域Ｄに対する連続したアクセスと認識することは図５から領域４の先頭ＬＢＡ及び領域３の先頭ＬＢＡがそれぞれ３００１ｈ及び３０００ｈで図６からこれら２つの領域が連続して領域Ｄに格納されている旨の記載に基づくものである。
　この訂正は、領域４のブロック数、領域４及び領域３の両先頭ＬＢＡ間の差の演算方向及び領域３を連続アクセスとして認識した理由を明瞭にしたものであるから、明りょうでない記載の釈明に相当し、また、実質上特許請求の範囲を拡張し、または変更するものではない。
　訂正事項７：訂正事項７は、願書に最初に添付した明細書段落番号【００４４】における領域１の最大ＬＢＡの記載を先頭ＬＢＡに訂正するものであるが、事項は願書に最初に添付した明細書段落番号【００４１】〜【００４４】及び図５の記載に基づくものであって、明りょうでない記載の釈明に相当するものでり、また、実質上特許請求の範囲を拡張し、または変更するものではない。
　訂正事項８：訂正事項８は、判別手段１３により領域７が管理情報部と認識され領域Ｃに割り当てられた理由について、願書に最初に添付した図面の図５、図６及び同明細書段落番号【００４３】における処理番号５の記載に基づき訂正しようとするものであって、図５から領域７のブロック数が１６ブロックであり３２ブロックより小さく、また領域Ｄは段落００４３から連続アクセス中であり、この２点が相俟って判別手段１３は管理情報部と認識し領域Ｃに割り当てるを意味する。
　したがって、この訂正は判別手段１３による領域７の認識理由と領域Ｃへの割り当て理由とを明瞭にしたものであって、明りょうでない記載の釈明に相当し、また、実質上特許請求の範囲を拡張し、または変更するものではない。
　訂正事項９：訂正事項９は、（処理番号９）における領域６のブロック数の値「７Ｆｈ」を「６３」に訂正し、一時記憶手段の領域Ｄにデータ領域のデータが格納された後の判断手段１３による認識の流れ、及び管理情報部への１ブロックのアクセスに対する割り当てを明確化したものであり、この訂正は、領域６のブロック数に関しては願書に最初に添付した図面の図５の記載に基づき、判別手段１３による認識の流れは願書に最初に添付した明細書段落番号００４１〜同００４５の記載に基づき、また管理情報部への１ブロックのアクセスに対する割り当ては願書に最初に添付した明細書段落番号【００３９】の記載に基づくものである。
　したがって、この訂正は領域６のブロック数の構成、判別手段１３による認識の流れ、及び管理情報部の割り当てを明瞭にしたものであって、明りょうでない記載の釈明に相当し、また、実質上特許請求の範囲を拡張し、または変更するものではない。
（３）むすび
　よって、上記訂正は、特許法第１２０条の４第３項で準用する第１２６条第２項及び第３項に適合するので、この訂正を認める。
　
３．申し立ての理由の概要
　申立人村戸良至は、下記の甲第１乃至３号証により、請求項１乃至１９にかかる発明の特許は、特許法第２９条第２項の規定に違反してなされたものであるから取り消すべき旨主張している。
甲第１号証：特開平５−７４０４６号公報
甲第２号証：特開平６−１６１８４７号公報
甲第３号証：特開昭６２−２５７５２０号公報
　
４．請求項１乃至１８に係る発明
　本件特許の請求項１乃至１８に係る発明（以下、本件発明１〜１８という。）は、訂正明細書の特許請求の範囲の請求項１乃至１８に記載された事項により特定されるとおりのものである。（上記、２、（１）訂正の内容参照。）
　
５．本件発明１２について
（１）刊行物記載の発明
刊行物１（甲第１号証）
（ア）段落【０００６】〜【００１４】には、図１〜図５に関連して、
「【０００６】
【課題を解決するための手段】
この発明は、磁気ディスクと、前記磁気ディスクに対してデータの読込み／書込みを行うヘッドと、前記データを記憶するキャッシュメモリと、前記磁気ディスクから目的データ以外に次の読込み予定のデータの読出しを行い、該予定データを前記キャッシュメモリに書込む機能を有する制御部とを備えた磁気ディスク装置において、前記キャッシュメモリは記憶領域を複数に分割されてなり、前記制御部は分割された各記憶領域の各々と前記磁気ディスクの所定のトラックとを対応させてデータの読込み／書込みを行うキャッシュ処理機能を有することを特徴とする。
【０００７】
【作用】
上記構成によれば、キャッシュメモリの全記憶領域が複数の小さな領域に分割、あるいは予め複数の小さな領域に分割され、これら分割された各記憶領域の各々が磁気ディスクの所定のトラックとに対応してデータの読込み／書込みが行なわれる。これにより、キャッシュメモリの全領域を一つの領域として使用する場合と比べて、ある記憶領域の先読みデータが、異なる記憶領域の読込み／書込みにより無効になることがない。
【０００８】
【実施例】
以下、図面を参照し、この発明の実施例を説明する。
図１はこの発明のー実施例による磁気ディスク装置の概略構成を示すブロック図である。この図において、１は磁気ディスク、２は磁気ディスク１に対してデータの読込み／書込みを行うためのヘッド、３はデータの読込み／書込みの信号を処理する読込み／書込み信号処理回路である。
【０００９】
４はプロトコルコントローラ（別名：ハードディスクコントローラ）であり、
磁気ディスク装置の読込み／書込み、インタフェースのブロトコル処理及びバッファの管理等を行う。…プロトコルコントローラ４とＣＰＵ５は制御部８を構成する。なお、図示しないが、この制御部８にはＣＰＵ５を制御するためのプログラムが書込まれたＲＯＭくり一ドオンリメモリ）が設けられている。このＲＯＭにはキャッシュ処理プログラム（後述する）も書込まれている。６はキャッシュメモリであり、制御部８とデータの授受を行う。７はホストコンピュータであり、制御部８に対して指令を与えると共に、制御部８から出力されるデータを入力する。
【００１０】
ここで、図２及び図３の各々は、上記構成による読込み／書込みのキャッシュ処理における美行結果（詳細は後述する）の一例を示すものであり、磁気ディスク１の記憶領域をシリンダ毎に４分割した記憶領域Ａ，Ｂ，Ｃ，Ｄと、シリンダ毎に分割したそれぞれの記憶領域Ａ，Ｂ，Ｃ，Ｄに対応するキャッシュメモリ６の分割領域ａ，ｂ，ｃ，ｄを示している。
次に、図４及び図５のフローチャートは、この実施例の磁気ディスク装置の読込み／書込みのキャッシュ処理過程の概略を示すものである。以下、読込みキャッシュ処理、書込みキャッシュ処理の順で説明する。
【００１１】
＜読込みのキャッシュ処理過程＞読込みの指令（コマンド）を受けると、ステップＳＰＩＡにおいて、制御部８は、読込み領域のシリンダの算出を行う。次いで、ステップＳＰ２Ａへ進み、読込みデータが書込まれているシリンダに対応するキャッシュメモリ６の分割領域を判定する。この判定後、ステップＳＰ３Ａへ進み、制御部８は、キャッシュメモリ６の分割領域の先頭アドレスを設定する。そして、ステップＳＰ４Ａへ進み、磁気ディスク１から指定されたデータを読込む。そして、ステップＳＰ５Ａへ進み、先読みデータの読込みを行い、キャッシュメモリ６の分割領域にこの先読みデータを書込む。以上により読込みのキャッシュ処理が終了する。
【００１２】
＜書込みのキャッシュ処理過程＞書込みの指令を受けると、ステップＳＰＢＩにおいて、制御部８は、書込みを行うシリンダの算出を行う。この算出を行なった後、ステップＳＰＢ２へ進み、
書込みを行うシリンダに対応するキャッシュメモリ６の分割領域を判定する。次いで、ステップＳＰＢ３へ進み、使用するキャッシュメモリ６の分割領域の先頭アドレスを設定する。次に、ステップＳＰＢ４にて、書込み処理を行う。以上により書込みのキャッシュ処理が終了する。
【００１３】
ここで、上記各過程の概略は次の通りである。この場合、磁気ディスク１の記憶領域Ａに書込まれたデータを読込む場合を例とする。
分割した磁気ディスク１のシリンダの記憶領域Ａの範囲内に存在するデータを読込んだ後、次に読込むであろうデータも読込み、これをキャッシュメモリ６の分割領域ａに書込む。その後、シリンダの記憶領域Ｃの範囲内に存在するデータの読込み指定が行われた場合、この記憶領域Ｃの範囲内に存在するデータを読込み、これをキャッシュメモリ６の分割領域ｃに書込む。すなわち、キャッシュメモリ６の分割領域ａに書込んでおいたデータを読出す場合には、この分割領域ａに書込んでおいたデータを使用するが、分割領域ｃに書込んでおいたデータを読出す場合には、この分割領域ｃに書込んでおいたデータを使用する。
【００１４】
このことは、磁気ディスク１のある記憶領域から読込んでおいた次に読込むであろう先読みデータと違う記憶領域のデータの読込みが行われても、キャッシュメモリ６に書込んである先読みデータに上書きすることがない。したがって、従来の磁気ディスク装置における問題、すなわち、次に読込むであろうデータが書込まれた領域と異なる領域のデータの読込み指定が行われた場合には、キャッシュメモリに書込まれた先読みデータが無効になるという問題が解決される。
そして、当然の結果であるが、キャッシュメモリ６の分割領域ａに書込んでおいたデータを読込む場合には、この分割領域ａに書込んでおいたデータを使用するので読込み処理時間が短縮される。なお、キャッシュメモリ６の記憶領域の分割は、予め制御部８内のＲＯＭにおいて分割されている場合と、読込み／書込みのキャッシュ処理を行なう際に分割する場合の二通りが考えられる。」ことが記載されており、したがって、「情報を記録再生する、複数のトラックを有する磁気ディスク（１）と、前記磁気ディスク（１）上に情報を記録し前記磁気ディスク（１）上から情報を再生するヘッド（２）及び読込み／書込み信号処理回路（３）と、前記磁気ディスク（１）に対する記録または再生時のホストコンピュータ（７）とデータのやりとりを行う際にデータを一時的に格納するキャッシュメモリ（６）であって、磁気ディスク（１）の４つの記憶領域Ａ、Ｂ、Ｃ、Ｄに対応するように、キャッシュメモリ（６）を４つの分割領域ａ、ｂ、ｃ、ｄに分割したキャッシュメモリ（６）と、を備える情報記録再生装置」が記載されている。
（イ）段落【００１５】には、「●読込みでのキャッシュ処理過程ホストコンピュータ７から読込み指令（コマンド）を受けると、…当該コマンドのアドレスより、分割されたキャッシュメモリ６の使用領域を選択する。
　次いで、…キャッシュメモリ６のその使用領域に有効キャッシュデータが在るか否かの判定を行う。」ことが記載されている。
（ウ）段落【００３０】には、「一方、…コマンド要求データ数が分割されたキャッシュメモリ６のサイズより大きい場合には…、キャッシュ有効データ先頭オフセットにセット転送データ数／分割キャッシュメモリサイズをセットする。この処理を終了すると、
ステップＳＰ１７へ進み、キャツシコ有効データ数に分割キャッシュメモリサイズをセットする。」ことが記載されている。
（エ）段落【００３１】には、「●書込みでのキャッシュ処理過程書込み指令が供給されると、…コマンドのアドレスより、分割されたキャッシュメモリ６の使用領域を選択する。この処理を終了すると、ステップＳＰＩ９へ進み、使用するキャッシュッメモリ領域の先頭アドレスを転送データ取込み先アドレスとしてセットする。そして、ステップＳＰ２０へ進み、ホストコンピュータ７からデータを受取る。そして、ステップＳＰ２１へ進み、データ書込み処理を行う。この処理が終了した後、上述したスチップＳＰ１２〜１７が実行される。
　以上が読込み／書込みにおけるキャッシュ処理の具体例である。」ことが記載されている。
（オ）段落【００３２】には、「なお、上記実施例の応用例としてＤＯＳ（ディスク・オペレーティングシステム）を使用する場合、ファイルの管理はＦＡＴで行われるので、ＦＡＴへのアクセスが数多〈行われる。キャッシュメモリの分割の範囲の一つをＦＡＴ等のアクセスが多く行われる範囲として割当て、常駐させ、それ以外のシリンダの範囲を分割してキャッシュメモリに割付ける事により、常駐させた部分を読出す時の処理時間の短縮が図れる。したがって、ファイルの読出しに関する処理の時間短縮が図れる。」ことが記載されている。
（２）刊行物２（甲第２号証）
　刊行物２には、【請求項２】〜【請求項４】、【０００７】〜【００１２】、図１〜図２を参照すると、複数個のバッファを、ファイル管理情報と、一般のデータとに個別に割当てることが記載されているまた、特に段落【０００８】と図２を参照すると、「ＩＳ＆Ｃ規格によれば、光磁気ディスクの片面（ポリウム）を、一定の長さ（１０２４）の連続セクタから構成されるゾーンに分割して管理する。
　ボリウムとボリウム内のファイルを管理するためのデータは、図２に示すように、（１）ディスクの基本情報であるボリウム管理情報、（２）各ゾーンの使用状況を示すゾ一ンテーブル、（３）ディスク上のセクタの使用状況を示すセクタテーブル、（４）ファイルの使用状況を示すインデックステーブルより構成される。
　これらの情報はファイルの数が通常の使用範囲内であればすべて先頭に位置するＡゾーンに記録されている。一般のファイル上のデータはデータそのものとデータの性質等を記述したへツダより構成され、他のゾーン中にファイルの大きさにしたがって記録される。」ことが記載されており、ディスク使用状況等を含む管理用の情報は、ディスク先頭のＡゾーン（セクタアドレス０〜１０２３）に記録し、通常のデータは、他のゾーン（セクタアドレスが１０２４以降）に、ファイルの大きさに従って記録する旨が記載されている。
（３）刊行物３（甲第３号証）
　刊行物３には、
（ア）第２頁右下欄第９−１９行を参照すると、［従来の技術］として、「従来、…特定のブロックサイズのブロックを一時格納するとか、…等の特定の性質を持つバッファに分けられ、特定の性質を持つバッファを集めてバッファ群として管理し、各バッファ群に各々一定量のバッファを属させることにより、バッファ領域を管理していた。」ことが記載されている。
（イ）第３頁左上欄第１４行〜第１５行を参照すると、従来技術として、各バッファ群のバッファ量は予め設定可能である旨が記載されており、また、第１図、第５図及び第６頁左下欄第４行〜第７頁石上欄第１７行を参照すると、バッファの使用状況に応じて、バッファ量を更新する旨が記載されている。
（ウ）第３頁石上欄第１５行〜左下欄１行を参照すると、各バッファ群に屈する、一時記憶手段であるバッファの情報、および空きバッファの識別情報、各バッファに属するバッファのアドレス、ブロックの識別情報、ブロックの内容がバッファ上で更新されたか否かの識別情報を、ファイルの管理情報として用いる旨が記載されている。
　
　本件発明１２と上記刊行物１に記載のものとを対比すると、刊行物１に記載された事項の「磁気ディスク（１）」、「ヘッド（２）及び読込み／書込み信号処理回路（３）」、「ホストコンピュータ（７）」、「キャッシュメモリ（６）」は、それぞれ、本件発明１２の「記録媒体」、「記録再生手段」、「上位機器」、「一時記憶手段」に相当する。
　また、刊行物１の磁気ディスク装置は、ホストコンピュータと接続するための「インタフェース」を設けることは明記されていないが、一般に、磁気ディスク装置等の周辺機器は、コンピュータ本体と何らかのインタフェースを介して接続されるものであること、刊行物１の磁気ディスク装置は、ブロトコルコントローラ（４）部で「インタフェース」に関わる処理を行うことが記載されていること（上記記載箇所（ア）の段落【０００９】参照）から、ホストコンピュータとの接続部にインタフェースを備えるものと解される。
　また、刊行物１において、磁気ディスクに情報を記録再生する際、「ブロック単位」で行うことは明記されていないが、一般に、ディスク装置において、情報を何らかのブロック毎に記録再生することは慣用技術であり（必要ならば、例えば、刊行物２の上記引用個所（特に段落【０００８】）参照）、刊行物１の磁気ディスク装置は、情報の記録再生を「トラック」単位で行うものであるから（上記記載箇所（ア）の段落【０００６】参照）、何らかのブロック単位で記録再生を行うものと解される。
　したがって、両者は、以下の一致点及び相違点を有する。
＜一致点＞
「情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、を備える情報記録再生装置。」
＜相違点＞
（１）本件発明１２では、一時記憶手段を少なくとも２領域に分割する「一時記憶領域配置手段」を備えるのに対して、刊行物１に記載されたものでは、この点明示されていない点、
（２）本件発明では、分割された一時記憶領域を管理情報部用の領域やデータ部用の領域として個別使用し、前記一時記憶手段のうち１または１より大きい数の領域を記録媒体の所定の領域にのみ割り当てて使用する「一時記憶領域管理手段」を備えるのに対して、刊行物１に記載されたものでは、その点明示されていない点。
　当該相違点について検討する。
　相違点（１）
　刊行物１記載の発明も、上記記載個所（ア）を参照すると、「一時記憶手段」であるキャッシュメモリ（６）を、４つの分割領域ａ、ｂ、ｃ、ｄに分割して、それぞれを記録媒体の所定の領域に割り当てて、個別使用するものである。
　したがって、刊行物１のものも、当然に、一時記憶手段の領域を複数の領域に分割する何らかの手段を備えるものである。
　よって、刊行物１のものにおいて、一時記憶手段の領域を分割するための「一時記憶領域配置手段」を設けることは、当業者が容易に推考し得ることである。
相違点（２）
（ｉ）刊行物１に記載の発明は、上記記載個所（ア）を参照すると、「一時記憶手段」であるキャッシュメモリ（６）を、４つの分割領域ａ、ｂ、ｃ、ｄに分割して、個別使用する旨が記載されている。
（ｉｉ）刊行物１の上記記載個所（オ）に、一時記憶手段の分割領域を、一つは管理情報部に割当て、他の領域はデータ部に割当てることが記載されている。
　上記（ｉ）、（ｉｉ）の点を考慮すると、刊行物１記載の発明において、分割された一時記憶領域を管理情報部用の領域やデータ部用の領域として個別使用し、前記一時記憶手段のうち１または１より大きい数の領域を記録媒体の所定の領域にのみ割り当てて使用する「一時記憶領域管理手段」を設けることは、当業者が容易に推考し得ることである。
　したがって、本件発明１２は、刊行物１乃至２記載の発明に基づいて、当業者が容易に想到できたものである。
　したがって、本件発明１２は、刊行物１乃至２に記載された発明に基づいて当業者が容易に発明できたものであるから、本件発明１２の特許は、特許法第２９条第２項の規定に違反してなされたものである。
　
６．本件発明１乃至１１の特許について
　本件発明１と刊行物１に記載された発明とを対比すると、刊行物１に記載された事項の「磁気ディスク（１）」、「ヘッド（２）及び論込み／書込み信号処理回路（３）」、「ホストコンピュータ（７）」、「キャッシュメモリ（６）」は、それぞれ、本願請求項１に係る発明の「記録媒体」、「記録再生手段」、「上位機器」、「一時記憶手段」に相当する。
　また、刊行物１の磁気ディスク装置に、ホストコンピュータと接続するための「インタフェース」を設けることは明記されていないが、一般に、ディスク装置等の周辺機器は、何らかのインタフェースによって、コンピュータ本体と接続されること、刊行物１の磁気ディスク装置のプロトコルコントローラ（４）部で、「インタフェース」処理を行うことが記載されていること（上記記載箇所（ア）の段落【０００９】参照）から、刊行物１のものも、ホストコンピュータとのインタフェースを備えるものと解される。
　また、刊行物１において、磁気ディスクに情報を記録再生する際、「ブロック単位」で行うことは明記されていないが、一般に、ディスク装置において、情報を何らかのブロック毎に記録再生することは慣用技術であり（必要ならば、例えば、刊行物２の上記引用個所（特に段落【０００８】）参照）、刊行物１の磁気ディスク装置は、情報の記録再生を「トラック」単位で行うものであるから（上記記載箇所（ア）の段落【０００６】参照）、何らかのブロック単位で記録再生を行うものと解される。
　したがって、両者は、以下の一致点及び相違点を有する。
＜一致点＞
「情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、を備える情報記録再生装置。」
＜相違点＞
（１）本件発明１では、一時記憶手段を少なくとも２領域に分割するための「一時記憶領域配置手段」を備えるのに対して、刊行物１に記載されたものは、キャッシュメモリを４領域に分割することは記載されているものの、そのための「一時記憶領域配置手段」を設けることが明示されていない点、
（２）本件発明１では、分割された一時記憶領域を管理情報部用の領域やデータ部用の領域として個別使用し、判別手段の判別結果が管理情報部であれば前記一時記憶手段の管理情報部用の領域を割り当て、判別手段の判別結果がデータ部であればデータ部用の領域を割り当てるための「一時記憶領域管理手段」を備えるのに対して、刊行物１に記載されたものでは、この点記載されていない点。
（３）本件発明１では、上位機器からの処理要求内容と、一時記憶手段の各領域の使用状況を示す一時記憶領域管理情報と、一時記憶領域の割り当て情報とから、処理要求のあったブロックが記録媒体のファイル本体であるデータ部に対応するか、あるいはそのデータ部の位置やつながりを示す管理情報部に対応するかを判別するための「判別手段」を備えるのに対して、刊行物１に記載されたものでは、この点明示されていない点。
　
＜検討＞
　相違点（３）：刊行物１には、記載個所（ア）（特に段落【００１１】〜【００１２】）、（イ）、（エ）を参照すると、一時記憶手段の分割領域を、個別使用するものにおいて、ホストコンピュータからのコマンドのアドレスに基づいて、バッファメモリの使用領域の判別を行う旨が記載されているものの、当該判別は、「上位機器からの処理要求内容と前記一時記憶手段の各領域の使用状況を示す一時記憶領域管理情報とから、処理要求のあったブロックが前記記録媒体のファイル本体であるデータ部に対応するか、あるいはそのデータ部の位置やつながりを示す管理情報部に対応するかを判別する判別手段」を開示するものではない。
　また、刊行物２乃至３にも、該判別手段について記載若しくは示唆されておらず、当該構成により本件発明１は、明細書記載の作用効果を奏するものと認める。
　したがって、本件発明１は、特許異議申立人の提出した刊行物１乃至３に記載された発明から当業者が容易に発明できたものとすることはできず、特許法第２９条第２項の規定に違反してなされたものではない。
　また、本件発明１を引用する本件発明２乃至１１は、上記の理由により、同じく特許異議申立人の提出した刊行物１乃至３に記載された発明から当業者が容易に発明できたものとすることはできず、特許法第２９条第２項の規定に違反してなされたものではない。
　
７．本件発明１３乃至１７の特許について
　本件発明１３乃至１７は、本件発明１２を引用するものであるが、本件発明１３の「一時記憶領域の分割および記録媒体への割り当てを、上位機器からの指示に従って任意に変更することを可能にする手段」、本件発明１４の「一時記憶領域管理手段は、前記一時記憶領域の分割および記録媒体への割り当てを、上位機器または使用者のうちいずれか一方によって与えられた設定に従って、規定された割り当て方法の中から自動的に選択」する点、本件発明１５の「一時記憶領域管理手段は、分割された一時記憶手段の一つの領域に対する記録媒体上の領域のアクセス回数が所定の値より小さく、かつ前記記録媒体上の領域とは異なる領域に対するアクセス回数が所定の値より大きい場合に、前記一時記憶手段の分割および記録媒体への割り当てを自動的に変更する」点、本件発明１６の「一時記憶領域領域管理手段は、分割された一時記憶手段の一つの領域に対する記録媒体上の領域のアクセス回数の全アクセス回数に対する比が所定の値より小さく、かつ前記記録媒体上の領域とは異なる領域に対するアクセス回数の全アクセス回数に対する比が所定の値より大きい場合に、前記一時記憶手段の分割および記録媒体への割り当てを自動的に変更する」点及び本件発明１７の「一時記憶手段に割り当てられた記録媒体上のデータを、そのデータが上位機種より読み出し要求される前の任意のタイミングで、あらかじめ対応する一時記憶領域に読み込む手段をさらに備えた」点については、異議申立人の提出した刊行物１乃至３に記載されておらず、また、該構成により各発明は、明細書記載の作用効果を奏するものであるから、特許異議申立人の提出した刊行物１乃至３に記載された発明から当業者が容易に発明できたものとすることはできず、特許法第２９条第２項の規定に違反してなされたものではない。
　
８．本件発明１８の特許について
　本件発明１８は、本件発明１または１２を引用するものであるが、「一時記憶領域管理手段のうち２以上の任意の組み合わせによる複数の一時記憶領域管理手段を備え」る点につき異議申立人の提出した刊行物１乃至３に記載されておらず、また、該構成により各発明は、明細書記載の作用効果を奏するものであるから、特許異議申立人の提出した刊行物１乃至３に記載された発明から当業者が容易に発明できたものとすることはできず、特許法第２９条第２項の規定に違反してなされたものではない。
　
９．むすび
　以上のとおりであるから、本件発明１２の特許は、特許法第２９条第２項の規定に違反してなされたものであるから、同法第１１３条第２号に該当し、取り消されるべきである。
　また、本件発明１乃至１１及び１３乃至１８の特許については、取消理由を発見しない。
　よって、結論のとおり決定する。
【異議決定日】
平成１４年７月１７日（２００２．７．１７）
【訂正の要旨】
（イ）訂正事項１
　　平成７年１０月５日付け本件請求人出願の願書に最初に添付した請求項１〜１９に係る記載
「【請求項１】　情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用する一時記憶領域管理手段と、上位機器からの処理要求内容と前記一時記憶手段の各領域の使用状況を示す一時記憶領域管理情報と一時記憶領域の割り当て情報とから、処理要求のあったブロックが前記記録媒体のファイル本体であるデータ部に対応するか、あるいはそのデータ部の位置やつながりを示す管理情報部に対応するかを判別する判別手段とを備え、前記一時記憶領域管理手段は前記判別手段の判別結果が管理情報部であれば前記一時記憶手段の管理情報部用の領域を割り当て、前記判別手段の判別結果がデータ部であればデータ部用の領域を割り当てるように構成した情報記録再生装置。
　【請求項２】　前記判別手段は、上位機器からの記録または再生の処理要求長を測定する手段を有し、前記測定結果が所定長以下であれば管理情報部と認識し、所定長より大きければデータ部と認識する請求項１記載の情報記録再生装置。
　【請求項３】　前記判別手段は、上位機器からの記録または再生の処理要求ブロックの中の最大論理ブロックアドレスが前記一時記憶手段に格納されているデータの中の最小論理ブロックアドレスよりも小さければ管理情報部と認識し、上位機器からの記録または再生の処理要求ブロックの中の最大論理ブロックアドレスが前記一時記憶手段に格納されているデータの中の最小論理ブロックアドレス以上であれば、データ部と認識する請求項１記載の情報記録再生装置。
　【請求項４】　前記判別手段は、前記一時記憶手段の複数の領域の中でデータ部と判別されている一時記憶領域に格納されているデータの中の最小論理ブロックアドレスと上位機器からの記録または再生の処理要求ブロックの中の最大論理ブロックアドレスとの差が正でかつ所定の値よりも大きければ管理情報部と認識し、差が負、０、または正でかつ所定の値以下であればデータ部と認識する請求項１記載の情報記録再生装置。
　【請求項５】　前記判別手段は、上位機器からの処理要求アドレスが記録媒体の管理情報部のアドレスに対応する場合には管理情報部と認識し、対応しなければデータ領域と認識する請求項１記載の情報記録再生装置。
　【請求項６】　前記判別手段は、上位機器からの記録または再生の処理要求パターンを監視する手段を有し、上位機器からの記録または再生の処理要求長が所定長以下で不連続領域に対する処理要求で、且つ前回の上位機器からの処理要求アドレスが、データ部と判別されている一時記憶領域に格納されているデータに対し連続している場合、またはデータ部の最大論理ブロックアドレスと要求アドレスの最小論理ブロックアドレスとの差が所定の値以下の場合にはデータ部と認識し、データ部の最大論理ブロックアドレスと要求アドレスの最小論理ブロックアドレスとの差が所定の値以上であれば管理情報部と認識する請求項１記載の情報記録再生装置。
　【請求項７】　前記一時記憶領域配置手段は、前記一時記憶手段の容量配分を、データ部の一時記憶領域には管理情報部の領域よりも大きな領域を配分するように一時記憶手段を不等分割するか、または複数個設けた一時記憶手段においてデータ部用の一時記憶手段として管理情報部用のものよりも大きな一時記憶手段を割り当てるものである請求項１〜６のいずれかに記載の情報記録再生装置。
　【請求項８】　一時記憶領域配置手段は前記一時記憶手段の一時記憶領域の配置を、管理情報部の領域をさらに１より大きな複数の領域に分割するか、または１より大きな複数の一時記憶手段を設けるものである請求項１〜７のいずれかに記載の情報記録再生装置。
　【請求項９】　前記一時記憶手段の各領域の使用状況を示す一時記憶領域管理情報は、各領域に格納しているデータの開始論理ブロックアドレス、格納ブロック数、および再生データか記録要求データかを区別する制御情報を有する請求項１〜８のいずれかに記載の情報記録再生装置。
　【請求項１０】　情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用し、前記一時記憶手段のうち１または１より大きい数の領域を記録媒体の所定の領域にのみ割り当てて使用する一時記憶領域管理手段とを備えた情報記録再生装置。
　【請求項１１】　前記一時記憶領域の分割および記録媒体への割り当てを、上位機器からの指示に従って任意に変更することを可能にする手段をさらに備えた請求項１０載の情報記録再生装置。
　【請求項１２】　前記一時記憶領域管理手段は、前記一時記憶領域の分割および記録媒体への割り当てを、上位機器または使用者のうちいずれか一方によって与えられた設定に従って、規定された割り当て方法の中から自動的に選択するものである請求項１０記載の情報記録再生装置。
　【請求項１３】　前記一時記憶領域管理手段は、分割された一時記憶手段の一つの領域に対する記録媒体上の領域のアクセス回数が所定の値より小さく、かつ前記記録媒体上の領域とは異なる領域に対するアクセス回数が所定の値より大きい場合に、前記一時記憶手段の分割および記録媒体への割り当てを自動的に変更するものである請求項１２記載の情報記録再生装置。
　【請求項１４】　前記一時記憶領域領域管理手段は、分割された一時記憶手段の一つの領域に対する記録媒体上の領域のアクセス回数の全アクセス回数に対する比が所定の値より小さく、かつ前記記録媒体上の領域とは異なる領域に対するアクセス回数の全アクセス回数に対する比が所定の値より大きい場合に、前記一時記憶手段の分割および記録媒体への割り当てを自動的に変更するものである請求項１２記載の情報記録再生装置。
　【請求項１５】　前記分割された一時記憶手段に割り当てられた記録媒体上のデータを、そのデータが上位機種より読み出し要求される前の任意のタイミングで、あらかじめ対応する一時記憶領域に読み込む手段をさらに備えた請求項１０〜１４のいずれかに記載の情報記録再生装置。
　【請求項１６】　請求項２〜６のいずれかに記載の判別手段のうち２以上の任意の組み合わせによる複数の判別手段を備えた情報記録再生装置。
　【請求項１７】　前記一時記憶手段は１つの一時記憶領域ごとに、または管理情報部用またはデータ部ごとに１つの記憶装置を用いたものである請求項１記載の情報記録再生装置。
　【請求項１８】　請求項２〜６のいずれかに記載の判別手段のうち２以上の任意の組み合わせによる複数の判別手段を備えた請求項１７の情報記録再生装置。
　【請求項１９】　複数に分割され、または複数個設けられた一時記憶領域の一時記憶領域管理手段として請求項１〜１７に記載された情報記録再生装置の一時記憶領域管理手段のうち２以上の任意の組み合わせによる複数の一時記憶領域管理手段を備えた情報記録再生装置。」を
「【請求項１】　情報を特定のブロック単位で記録再生する記録媒体と、
　前記記録媒体上に情報を記録し前記記録媒体上から情報を再生する記録再生手段と、
　上位機器とのインタフェースと、
　前記記録媒体に対する記録または再生時の上位機器とデータのやりとりを行う際にデータを一時的に格納する一時記憶手段と、
　前記一時記憶手段を少なくとも２領域に分割する一時記憶領域配置手段と、
　前記一次記憶領域配置手段により分割された一時記憶領域を管理情報部用の領域やデータ部用の領域として個別使用する一時記憶領域管理手段と、
　上位機器からの処理要求内容と前記一時記憶手段の各領域の使用状況を示す一時記憶領域管理情報とから、処理要求のあったブロックが前記記録媒体のファイル本体であるデータ部に対応するか、あるいはそのデータ部の位置やつながりを示す管理情報部に対応するかを判別する判別手段とを備え、
　前記一時記憶領域管理手段は、前記判別手段の判別結果が管理情報部であれば前記一時記憶手段の管理情報部用の領域を割り当て、前記判別手段の判別結果がデータ部であればデータ部用の領域を割り当てるように構成した情報記録再生装置。
　【請求項２】　前記判別手段は、上位機器からの記録または再生の処理要求長を測定する手段を有し、前記測定結果が所定長以下であれば管理情報部と認識し、所定長より大きければデータ部と認識する請求項１記載の情報記録再生装置。
　【請求項３】　前記判別手段は、上位機器からの記録または再生の処理要求ブロックの中の先頭論理ブロックアドレスが前記一時記憶手段に格納されているデータの中の先頭論理ブロックアドレスよりも小さければ管理情報部と認識し、上位機器からの記録または再生の処理要求ブロックの中の先頭論理ブロックアドレスが前記一時記憶手段に格納されているデータの中の先頭論理ブロックアドレス以上であれば、データ部と認識する請求項１記載の情報記録再生装置。
　【請求項４】　前記判別手段は、前記一時記憶手段の複数の領域の中でデータ部と判別されている一時記憶領域に格納されているデータの中の先頭論理ブロックアドレスから上位機器からの記録または再生の処理要求ブロックの中の先頭論理ブロックアドレスを減算した差が正でかつ所定の値よりも大きければ管理情報部と認識し、前記差が負、０、または正でかつ所定の値以下であればデータ部と認識する請求項１記載の情報記録再生装置。
　【請求項５】　前記判別手段は、上位機器からの処理要求アドレスが記録媒体の管理情報部のアドレスに対応する場合には管理情報部と認識し、対応しなければデータ領域と認識する請求項１記載の情報記録再生装置。
　【請求項６】　前記一時記憶領域配置手段は、前記一時記憶手段の容量配分を、データ部の一時記憶領域には管理情報部の領域よりも大きな領域を配分するように一時記憶手段を不等分割するか、または複数個設けた一時記憶手段においてデータ部用の一時記憶手段として管理情報部用のものよりも大きな一時記憶手段を割り当てるものである請求項１〜５のいずれかに記載の情報記録再生装置。
　【請求項７】　一時記憶領域配置手段は前記一時記憶手段の一時記憶領域の配置を、管理情報部の領域をさらに１より大きな複数の領域に分割するか、または１より大きな複数の一時記憶手段を設けるものである請求項１〜６のいずれかに記載の情報記録再生装置。
　【請求項８】　前記一時記憶手段の各領域の使用状況を示す一時記憶領域管理情報は、各領域に格納しているデータの開始論理ブロックアドレス、格納ブロック数、および再生データか記録要求データかを区別する制御情報を有する請求項１〜７のいずれかに記載の情報記録再生装置。
　【請求項９】　請求項２及び３に記載の判別手段の組合せ、または、請求項２及び４に記載の判別手段の組合せから選択した判別手段のうち２以上の複数の判別手段を備えた情報記録再生装置。
　【請求項１０】　前記一時記憶手段は１つの一時記憶領域ごとに、または管理情報部用またはデータ部ごとに１つの記憶装置を用いたものである請求項１記載の情報記録再生装置。
　【請求項１１】　請求項２及び３に記載の判別手段の組合せ、または、請求項２及び４に記載の判別手段の組合せから選択した判別手段のうち２以上の複数の判別手段を備えた請求項１０記載の情報記録再生装置。
　【請求項１２】　情報を特定のブロック単位で記録再生する記録媒体と、
　前記記録媒体上に情報を記録し前記記録媒体上から情報を再生する記録再生手段と、
　上位機器とのインタフェースと、前記記録媒体に対する記録または再生時の上位機器とデータのやりとりを行う際にデータを一時的に格納する一時記憶手段と、
　前記一時記憶手段を少なくとも２領域に分割する一時記憶領域配置手段と、
　前記一次記憶領域配置手段により分割された一時記憶領域を管理情報部用の領域やデータ部用の領域として個別使用し、前記一時記憶手段のうち１または１より大きい数の領域を記録媒体の所定の領域にのみ割り当てて使用する一時記憶領域管理手段とを備えた情報記録再生装置。
　【請求項１３】　前記一時記憶領域の分割および記録媒体への割り当てを、上位機器からの指示に従って任意に変更することを可能にする手段をさらに備えた請求項１２載の情報記録再生装置。
　【請求項１４】　前記一時記憶領域管理手段は、前記一時記憶領域の分割および記録媒体への割り当てを、上位機器または使用者のうちいずれか一方によって与えられた設定に従って、規定された割り当て方法の中から自動的に選択するものである請求項１２記載の情報記録再生装置。
　【請求項１５】　前記一時記憶領域管理手段は、分割された一時記憶手段の一つの領域に対する記録媒体上の領域のアクセス回数が所定の値より小さく、かつ前記記録媒体上の領域とは異なる領域に対するアクセス回数が所定の値より大きい場合に、前記一時記憶手段の分割および記録媒体への割り当てを自動的に変更するものである請求項１４記載の情報記録再生装置。
　【請求項１６】　前記一時記憶領域領域管理手段は、分割された一時記憶手段の一つの領域に対する記録媒体上の領域のアクセス回数の全アクセス回数に対する比が所定の値より小さく、かつ前記記録媒体上の領域とは異なる領域に対するアクセス回数の全アクセス回数に対する比が所定の値より大きい場合に、前記一時記憶手段の分割および記録媒体への割り当てを自動的に変更するものである請求項１４記載の情報記録再生装置。
　【請求項１７】　前記分割された一時記憶手段に割り当てられた記録媒体上のデータを、そのデータが上位機種より読み出し要求される前の任意のタイミングで、あらかじめ対応する一時記憶領域に読み込む手段をさらに備えた請求項１２〜１６のいずれかに記載の情報記録再生装置。
　【請求項１８】　複数に分割され、または複数個設けられた一時記憶領域の一時記憶領域管理手段として請求項１または１２少なくとも何れか一方に記載された情報記録再生装置の一時記憶領域管理手段のうち２以上の任意の組み合わせによる複数の一時記憶領域管理手段を備えた情報記録再生装置。」と訂正する。
（ロ）訂正事項２
　明細書段落番号００１２の
「【課題を解決するための手段】
　この目的を解決するために本発明の情報記録再生装置は、その第１の構成は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用する一時記憶領域管理手段と、上位機器からの処理要求内容と前記一時記憶手段の各領域の使用状況を示す一時記憶領域管理情報と一時記憶領域の割り当て情報とから、処理要求のあったブロックが前記記録媒体のファイル本体であるデータ部に対応するか、あるいはそのデータ部の位置やつながりを示す管理情報部に対応するかを判別する判別手段とを備え、前記一時記憶領域管理手段は前記判別手段の判別結果が管理情報部であれば前記一時記憶手段の管理情報部用の領域を割り当て、前記判別手段の判別結果がデータ部であればデータ部用の領域を割り当てるようなものとなっている。」を
「【課題を解決するための手段】
　この目的を解決するために本発明の情報記録再生装置は、その第１の構成は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用する一時記憶領域管理手段と、上位機器からの処理要求内容と前記一時記憶手段の各領域の使用状況を示す一時記憶領域管理情報とから、処理要求のあったブロックが前記記録媒体のファイル本体であるデータ部に対応するか、あるいはそのデータ部の位置やつながりを示す管理情報部に対応するかを判別する判別手段とを備え、前記一時記憶領域管理手段は、前記判別手段の判別結果が管理情報部であれば前記一時記憶手段の管理情報部用の領域を割り当て、前記判別手段の判別結果がデータ部であればデータ部用の領域を割り当てるようなものとなっている。」と訂正する。
（ハ）訂正事項３
　明細書段落番号００１６〜００３４の
「【００１６】
　【発明の実施の形態】
　本発明の請求項１に記載の発明は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用する一時記憶領域管理手段と、上位機器からの処理要求内容と前記一時記憶手段の各領域の使用状況を示す一時記憶領域管理情報と一時記憶領域の割り当て情報とから、処理要求のあったブロックが前記記録媒体のファイル本体であるデータ部に対応するか、あるいはそのデータ部の位置やつながりを示す管理情報部に対応するかを判別する判別手段とを備え、前記一時記憶領域管理手段は前記判別手段の判別結果が管理情報部であれば前記一時記憶手段の管理情報部用の領域を割り当て、前記判別手段の判別結果がデータ部であればデータ部用の領域を割り当てるように構成した各種の上位機器に適した一時記憶手段の有効利用と、管理情報部とデータ部とのアクセス回数の削減を行う事によりアクセスに要する時間を短縮することができるという作用を有する。
　【００１７】
　請求項２に記載の発明は、前記判別手段として、上位機器からの記録または再生の処理要求長を測定する手段を有し、前記測定結果が所定長以下であれば管理情報部と認識し、所定長より大きければデータ部と認識するものであり、管理情報部とデータ部の認識を高速に行い、一時記憶手段の有効利用と、管理情報部とデータ部とのアクセス回数の削減を行うことにより、アクセスに要する時間を短縮できるという作用を有する。
　【００１８】
　請求項３に記載の発明は、前記判別手段として、上位機器からの記録または再生の処理要求ブロックの中の最大論理ブロックアドレスが前記一時記憶手段に格納されているデータの中の最小論理ブロックアドレスよりも小さければ管理情報部と認識し、上位機器からの記録または再生の処理要求ブロックの中の最大論理ブロックアドレスが前記一時記憶手段に格納されているデータの中の最小論理ブロックアドレス以上であれば、データ部と認識するものであり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００１９】
　請求項４に記載の発明は、前記判別手段として、前記一時記憶手段の複数の領域の中でデータ部と判別されている一時記憶領域に格納されているデータの中の最小論理ブロックアドレスと上位機器からの記録または再生の処理要求ブロックの中の最大論理ブロックアドレスとの差が正でかつ所定の値よりも大きければ管理情報部と認識し、差が負、または０、または正でかつ所定の値以下であればデータ部と認識するものであり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００２０】
　請求項５に記載の発明は、前記判別手段として、上位機器からの処理要求アドレスが記録媒体の管理情報部のアドレスに対応する場合には管理情報部と認識し、対応しなければデータ領域と認識するものであり、簡単な構成で管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００２１】
　請求項６に記載の発明は、前記判別手段として、上位機器からの記録または再生の処理要求パターンを監視する手段を有し、上位機器からの記録または再生の処理要求長が所定長以下で不連続領域に対する処理要求で、且つ前回の上位機器からの処理要求アドレスが、データ部と判別されている一時記憶領域に格納されているデータに対し連続している場合、またはデータ部の最大論理ブロックアドレスと要求アドレスの最小論理ブロックアドレスとの差が所定の値以下の場合にはデータ部と認識し、データ部の最大論理ブロックアドレスと要求アドレスの最小論理ブロックアドレスとの差が所定の値以上であれば管理情報部と認識するものであり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００２２】
　請求項７に記載の発明は、前記一時記憶領域配置手段として、前記一時記憶手段の容量配分を、データ部の一時記憶領域には管理情報部の領域よりも大きな領域を配分するように一時記憶手段を不等分割するか、または複数個設けた一時記憶手段においてデータ部用の一時記憶手段として管理情報部用のものよりも大きな一時記憶手段を割り当てるものである請求項１〜６のいずれかに記載の情報記録再生装置であり、各種の上位機器に適し、容量の大きなデータを扱う際の一時記憶手段の有効利用図ることができるという作用を有する。
　【００２３】
　請求項８に記載の発明は、一時記憶配置手段として前記一時記憶手段の一時記憶領域の配置を、管理情報部の領域をさらに１より大きな複数の領域に分割するか、または１より大きな複数の一時記憶手段を設けるものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２４】
　請求項９に記載の発明は、前記一時記憶手段の各領域の使用状況を示す一時記憶領域管理情報として、各領域に格納しているデータの開始論理ブロックアドレス、格納ブロック数、および再生データか記録要求データかを区別する制御情報を有する請求項１〜８のいずれかに記載の情報記録再生装置であり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２５】
　請求項１０に記載の発明は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用し、前記一時記憶手段のうち１または１より大きい数の領域を記録媒体の所定の領域にのみ割り当てて使用する一時記憶領域管理手段とを備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２６】
　請求項１１に記載の発明は、前記一時記憶領域の分割および記録媒体への割り当てを、上位機器からの指示に従って任意に変更することを可能にする手段をさらに備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２７】
　請求項１２に記載の発明は、前記一時記憶領域管理手段として、前記一時記憶領域の分割および記録媒体への割り当てを、上位機器または使用者のうちいずれか一方によって与えられた設定に従って、規定された割り当て方法の中から自動的に選択する一時記憶管理手段を備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２８】
　請求項１３に記載の発明は、前記一時記憶領域管理手段として、分割された一時記憶手段の一つの領域に対する媒体上の領域のアクセス回数が所定の値より小さく、かつ前記媒体上の領域とは異なる領域に対するアクセス回数が所定の値より大きい場合に、前記一時記憶手段の分割および記録媒体への割り当てを自動的に変更する一時記憶管理手段を備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２９】
　請求項１４に記載の発明は、前記一時記憶領域管理手段として、分割された一時記憶手段の一つの領域に対する媒体上の領域のアクセス回数の全アクセス回数に対する比が所定の値より小さく、かつ前記媒体上の領域とは異なる領域に対するアクセス回数の全アクセス回数に対する比が所定の値より大きい場合に、前記一時記憶手段の分割および記録媒体への割り当てを自動的に変更するものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００３０】
　請求項１５に記載の発明は、前記分割された一時記憶手段に割り当てられた前記記録媒体上のデータを、そのデータが上位機器より読み出し要求される前の任意のタイミングで、あらかじめ対応する一時記憶領域に読み込む手段をさらに備えた請求項１０〜１４のいづれかに記載の情報記録再生装置であり、各種の上位機器に適し、複数の管理領域に分割された容量の大きな記録媒体を扱う際の一時記憶手段の有効利用図り、処理の行われない時間を利用することと、管理情報部とデータ部とのアクセス回数の削減を行うことにより、アクセスに要する時間を短縮できるという作用を有する。
　【００３１】
　請求項１６に記載の発明は、請求項２〜６のいづれかに記載された情報記録再生装置の判別手段のうち２以上の任意の組み合わせによる複数の判別手段を備えた情報記録再生装置であり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００３２】
　請求項１７に記載の発明は、前記一時記憶手段として１つの一時記憶領域ごとに、または管理情報部用またはデータ部ごとに１つの記憶装置を用いたものであり、より大きな容量のデータを扱う際に一時記憶手段の有効利用と、管理情報部とデータ部とのアクセス回数の削減を行うことにより、アクセスに要する時間を短縮できるという作用を有する。
　【００３３】
　請求項１８に記載の発明は、請求項２〜６のいずれかに記載の判別手段のうち２以上の任意の組み合わせによる複数の判別手段を備えた請求項１７の情報記録再生装置であり、より大きな容量のデータを扱う際においても、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００３４】
　請求項１９に記載の発明は、複数に分割され、または複数個設けられた一時記憶手段の一時記憶管理手段として、請求項１〜１８に記載された情報記録再生装置の一時記憶領域管理手段のうち２以上の任意の組み合わせによる複数の一時記憶領域管理手段を備えた情報記録再生装置であり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。」を
「【００１６】
　【発明の実施の形態】
　本発明の請求項１に記載の発明は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用する一時記憶領域管理手段と、上位機器からの処理要求内容と前記一時記憶手段の各領域の使用状況を示す一時記憶領域管理情報とから、処理要求のあったブロックが前記記録媒体のファイル本体であるデータ部に対応するか、あるいはそのデータ部の位置やつながりを示す管理情報部に対応するかを判別する判別手段とを備え、前記一時記憶領域管理手段は、前記判別手段の判別結果が管理情報部であれば前記一時記憶手段の管理情報部用の領域を割り当て、前記判別手段の判別結果がデータ部であればデータ部用の領域を割り当てるように構成した各種の上位機器に適した一時記憶手段の有効利用と、管理情報部とデータ部とのアクセス回数の削減を行う事によりアクセスに要する時間を短縮することができるという作用を有する。
　【００１７】
　請求項２に記載の発明は、前記判別手段として、上位機器からの記録または再生の処理要求長を測定する手段を有し、前記測定結果が所定長以下であれば管理情報部と認識し、所定長より大きければデータ部と認識するものであり、管理情報部とデータ部の認識を高速に行い、一時記憶手段の有効利用と、管理情報部とデータ部とのアクセス回数の削減を行うことにより、アクセスに要する時間を短縮できるという作用を有する。
　【００１８】
　請求項３に記載の発明は、前記判別手段として、上位機器からの記録または再生の処理要求ブロックの中の先頭論理ブロックアドレスが前記一時記憶手段に格納されているデータの中の先頭論理ブロックアドレスよりも小さければ管理情報部と認識し、上位機器からの記録または再生の処理要求ブロックの中の先頭論理ブロックアドレスが前記一時記憶手段に格納されているデータの中の先頭論理ブロックアドレス以上であれば、データ部と認識するものであり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００１９】
　請求項４に記載の発明は、前記判別手段として、前記一時記憶手段の複数の領域の中でデータ部と判別されている一時記憶領域に格納されているデータの中の先頭論理ブロックアドレスから上位機器からの記録または再生の処理要求ブロックの中の先頭論理ブロックアドレスを減算した差が正でかつ所定の値よりも大きければ管理情報部と認識し、前記差が負、または０、または正でかつ所定の値以下であればデータ部と認識するものであり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００２０】
　請求項５に記載の発明は、前記判別手段として、上位機器からの処理要求アドレスが記録媒体の管理情報部のアドレスに対応する場合には管理情報部と認識し、対応しなければデータ領域と認識するものであり、簡単な構成で管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００２１】
　請求項６に記載の発明は、前記一時記憶領域配置手段として、前記一時記憶手段の容量配分を、データ部の一時記憶領域には管理情報部の領域よりも大きな領域を配分するように一時記憶手段を不等分割するか、または複数個設けた一時記憶手段においてデータ部用の一時記憶手段として管理情報部用のものよりも大きな一時記憶手段を割り当てるものである請求項１〜５のいずれかに記載の情報記録再生装置であり、各種の上位機器に適し、容量の大きなデータを扱う際の一時記憶手段の有効利用図ることができるという作用を有する。
　【００２２】
　請求項７に記載の発明は、一時記憶配置手段として前記一時記憶手段の一時記憶領域の配置を、管理情報部の領域をさらに１より大きな複数の領域に分割するか、または１より大きな複数の一時記憶手段を設けるものであり、各種の上位機器に適し、一複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２３】
　請求項８に記載の発明は、前記一時記憶手段の各領域の使用状況を示す一時記憶領域管理情報として、各領域に格納しているデータの開始論理ブロックアドレス、格納ブロック数、および再生データか記録要求データかを区別する制御情報を有する請求項１〜７のいずれかに記載の情報記録再生装置であり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２４】
　請求項９に記載の発明は、請求項２及び３に記載の判別手段の組合せ、または、請求項２及び４に記載の判別手段の組合せから選択した判別手段のうち２以上の複数の判別手段を備えた情報記録再生装置であり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００２５】
　請求項１０に記載の発明は、前記一時記憶手段として１つの一時記憶領域ごとに、または管理情報部用またはデータ部ごとに１つの記憶装置を用いたものであり、より大きな容量のデータを扱う際に一時記憶手段の有効利用と、管理情報部とデータ部とのアクセス回数の削減を行うことにより、アクセスに要する時間を短縮できるという作用を有する。
　【００２６】
　請求項１１に記載の発明は、請求項２及び３に記載の判別手段の組合せ、または、請求項２及び４に記載の判別手段の組合せから選択した判別手段のうち２以上の複数の判別手段を備えた請求項１０記載の情報記録再生装置であり、より大きな容量のデータを扱う際においても、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００２７】
　請求項１２に記載の発明は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用し、前記一時記憶手段のうち１または１より大きい数の領域を記録媒体の所定の領域にのみ割り当てて使用する一時記憶領域管理手段とを備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２８】
　請求項１３に記載の発明は、前記一時記憶領域の分割および記録媒体への割り当てを、上位機器からの指示に従って任意に変更することを可能にする手段をさらに備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２９】
　請求項１４に記載の発明は、前記一時記憶領域管理手段として、前記一時記憶領域の分割および記録媒体への割り当てを、上位機器または使用者のうちいずれか一方によって与えられた設定に従って、規定された割り当て方法の中から自動的に選択する一時記憶管理手段を備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００３０】
　請求項１５に記載の発明は、前記一時記憶領域管理手段として、分割された一時記憶手段の一つの領域に対する媒体上の領域のアクセス回数が所定の値より小さく、かつ前記媒体上の領域とは異なる領域に対するアクセス回数が所定の値より大きい場合に、前記一時記憶手段の分割および記録媒体への割り当てを自動的に変更する一時記憶管理手段を備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００３１】
　請求項１６に記載の発明は、前記一時記憶領域管理手段として、分割された一時記憶手段の一つの領域に対する媒体上の領域のアクセス回数の全アクセス回数に対する比が所定の値より小さく、かつ前記媒体上の領域とは異なる領域に対するアクセス回数の全アクセス回数に対する比が所定の値より大きい場合に、前記一時記憶手段の分割および記録媒体への割り当てを自動的に変更するものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００３２】
　請求項１７に記載の発明は、前記分割された一時記憶手段に割り当てられた前記記録媒体上のデータを、そのデータが上位機器より読み出し要求される前の任意のタイミングで、あらかじめ対応する一時記憶領域に読み込む手段をさらに備えた請求項１２〜１６のいづれかに記載の情報記録再生装置であり、各種の上位機器に適し、複数の管理領域に分割された容量の大きな記録媒体を扱う際の一時記憶手段の有効利用図り、処理の行われない時間を利用することと、管理情報部とデータ部とのアクセス回数の削減を行うことにより、アクセスに要する時間を短縮できるという作用を有する。
　【００３３】
　請求項１８に記載の発明は、複数に分割され、または複数個設けられた一時記憶手段の一時記憶管理手段として、請求項１または１２少なくとも何れか一方に記載された情報記録再生装置の一時記憶領域管理手段のうち２以上の任意の組み合わせによる複数の一時記憶領域管理手段を備えた情報記録再生装置であり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。」と訂正する。
（ニ）訂正事項４
　明細書段落番号００３８の
「【００３８】
　また上記の制御情報は、格納データが再生データか、記録要求データか、または無効データかを示す情報と、各々の一時記憶領域に対するアクセスパターンが、連続領域に対するアクセスが１つの領域に対して空間的、時間的に連続しているかどうかを示すものである。判別手段１３は、ホストコンピュータからの処理要求のあったブロック数が所定値（例えば１６ブロック）以下であって、かつ一時記憶領域管理情報の領域Ｄの格納データの先頭ＬＢＡと処理要求のあった領域の最大ＬＢＡとの差を求め、その差が所定値（例えば３２）よりも大きい場合には管理情報部と認識する。」を
「【００３７】
　また上記の制御情報は、格納データが再生データ、記録要求データ、あるいは無効データかを示す情報、または各々の一時記憶領域に対するアクセスパターンによる連続領域に対するアクセスが１つの領域に対して空間的、時間的に連続しているかどうかを示す情報である。判別手段１３は、ホストコンピュータからの処理要求のあったブロック数が所定値（例えば１６ブロック）以下であって、かつ一時記憶領域管理情報の領域Ｄの格納データの先頭ＬＢＡから処理要求のあった領域の先頭ＬＢＡを減算した差が所定値（例えば３２）よりも大きい場合には管理情報部と認識する。」と訂正する。
（ホ）訂正事項５
　明細書段落番号００３９の
「【００３９】
　一時記憶領域管理情報の領域Ｄの格納データの先頭ＬＢＡと処理要求のあった領域の最大ＬＢＡとの差が負か、または０か、または正であっても所定値（例えば３２ブロック）以下である場合にはデータ部と認識し、または所定値（例えば１２８ブロック）以上である場合には管理情報部と認識する。この認識結果は一時記憶領域管理手段１２に通知される。一時記憶領域管理手段１２は、認識結果が管理情報部であれば、一時記憶手段１７において領域Ａ、領域Ｂ、または領域Ｃを割り当て、データ部であれば一時記憶手段１７において領域Ｄを割り当てる。」を
「【００３８】
　ホストコンピュータからの処理要求のあったブロック数が所定値（例えば１６ブロック）以下であって、かつ一時記憶領域管理情報の領域Ｄの格納データの先頭ＬＢＡから処理要求のあった領域の先頭ＬＢＡを減算した差が負か、または０か、または正であっても所定値（例えば３２ブロック）以下である場合には判別手段１３はデータ部と認識する。ホストコンピュータからの処理要求のあったブロック数が所定値（例えば１６ブロック）以下であっても上記差が所定値（例えば１２８ブロック）以上である場合には判別手段１３は管理情報部と認識する。この認識結果は一時記憶領域管理手段１２に通知される。一時記憶領域管理手段１２は、認識結果が管理情報部であれば、一時記憶手段１７において領域Ａ、領域Ｂ、または領域Ｃを割り当て、データ部であれば一時記憶手段１７において領域Ｄを割り当てる。」と訂正する。
（ヘ）訂正事項６
　明細書段落番号００４３の
「【００４３】
（処理番号４）次の領域４に対する７Ｆｈブロックの記録処理要求に対しては、記録要求ブロック数が１６よりも大きいため、判別手段１３によりデータ部と認識され、この結果を受けた一時記憶領域管理手段１２により領域４は領域Ｄに割り当てられる。
（処理番号５）次の領域３に対する１ブロックの記録処理要求に対して、記録要求ブロック数は１であるが、領域Ｄの格納データの先頭ＬＢＡである３００１ｈと記録要求ＬＢＡである３０００ｈとの差が１であり、３２以下であるので、判別手段１３によりデータ部と認識され、一時記憶領域管理手段１２はこの結果を受けて、領域Ｄを割り当てる。さらに、領域Ｄに対する連続したアクセスと認識し制御情報に連続アクセスがあったことを設定する。」を
「【００４３】
　（処理番号４）次の領域４に対する６３ブロックの記録処理要求に対しては、記録要求ブロック数が１６よりも大きいため、判別手段１３によりデータ部と認識され、この結果を受けた一時記憶領域管理手段１２により領域４は領域Ｄに割り当てられる。
　【００４４】
　（処理番号５）次の領域３に対する１ブロックの記録処理要求に対して、記録要求ブロック数は１であるが、領域Ｄの格納データの先頭ＬＢＡである３００１ｈから記録要求先頭ＬＢＡである３０００ｈを減算した差が１であり、３２以下であるので、判別手段１３によりデータ部と認識され、一時記憶領域管理手段１２はこの結果を受けて、領域Ｄを割り当てる。さらに、前述したように領域Ｄの格納データの先頭ＬＢＡと記録要求ＬＢＡとの差が１であるため、判別手段１３は領域４を領域Ｄに対する連続したアクセスと認識し、制御情報に連続アクセスがあったことを設定する。」と訂正する。
（ト）訂正事項７
　明細書段落番号００４４の
「【００４４】
（処理番号６）次の領域１に対する２度めの１ブロックの記録処理要求に対して、領域Ｄの格納データの先頭ＬＢＡは３０００ｈであるから、領域１の最大ＬＢＡである１００ｈとの差は２Ｆ００ｈであり３２よりも大きいので、判別手段１３により管理情報部と認識され、この結果を受けた一時記憶領域管理手段１２は領域Ａに割り当てる。」を
「【００４５】
　（処理番号６）次の領域１に対する２度めの１ブロックの記録処理要求に対して、領域Ｄの格納データの先頭ＬＢＡは３０００ｈであるから、領域１の先頭ＬＢＡである１００ｈとの差は２Ｆ００ｈであり３２よりも大きいので、判別手段１３により管理情報部と認識され、この結果を受けた一時記憶領域管理手段１２は領域Ａに割り当てる。」と訂正する。
（チ）訂正事項８
　明細書段落番号００４５の
「【００４５】
（処理番号７）次の領域２に対する２度めの１ブロックの記録処理要求に対しては、同様に処理され、一時記憶領域管理手段１２は領域Ｂに割り当てる。
（処理番号８）次に領域７に対する１６ブロックの記録処理要求に対して領域Ｄの格納データの先頭ＬＢＡは３０００ｈであり、これは領域７の先頭ＬＢＡ５０００ｈとの差をとれば負であるが、領域Ｄは連続アクセス中と認識されているので、判別手段１３により管理情報部と認識され、結果が一時記憶領域管理手段１２に通知され、領域Ｃに割り当てられる。さらに、領域Ｄに対する連続アクセスは中断されたと認識し、制御情報に連続アクセスが中止されたことを設定する。」を
「【００４６】
　（処理番号７）次の領域２に対する２度めの１ブロックの記録処理要求に対しては、同様に処理され、一時記憶領域管理手段１２は領域Ｂに割り当てる。
　【００４７】
　（処理番号８）次に領域７に対する１６ブロックの記録処理要求に対して領域Ｄの格納データの先頭ＬＢＡは３０００ｈであり、これは領域７の先頭ＬＢＡ５０００ｈとの差をとれば負であるが、領域７の記録処理要求は１６ブロックであるため所定値の３２より小さく、その上領域Ｄは前述したように連続アクセス中と認識されているので、判別手段１３により管理情報部と認識され、結果が一時記憶領域管理手段１２に通知され、領域Ｃに割り当てられる。さらに、領域Ｄに対する連続アクセスは中断されたと認識し、制御情報に連続アクセスが中止されたことを設定する。」と訂正する。
（リ）訂正事項９
　明細書段落番号００４６の
「【００４６】
（処理番号９）次の領域６に対する７Ｆｈブロックの記録処理要求に対しては、記録要求ブロック数が１６より大きいため、判別手段１３によりデータ部と認識され、この結果を受けた一時記憶領域管理手段１２は領域Ｄを割り当てる。以後同様の動作を繰り返し、図６に示すように一時記憶手段１７の割り当て状態が遷移することになる。このように、一度データ領域のデータが一時記憶手段の領域Ｄに格納されると、以後の管理情報部への１ブロックのアクセスに対しては、領域Ａまたは領域Ｂを割り当てることになる。」を
「【００４８】
　（処理番号９）次の領域６に対する６３ブロックの記録処理要求に対しては、記録要求ブロック数が１６より大きいため、判別手段１３によりデータ部と認識され、この結果を受けた一時記憶領域管理手段１２は領域Ｄを割り当てる。以後同様の動作を繰り返し、図６に示すように一時記憶手段１７の割り当て状態が遷移することになる。このように、一度データ領域のデータが一時記憶手段の領域Ｄに格納されると、先ず記録要求ブロック数と所定ブロック数（本例では１６）とを比較し、次に領域Ｄの格納データの先頭ＬＢＡから記録要求の先頭ＬＢＡを減算した差と所定値（本例では３２）との比較を行い、その結果記録要求ブロック数が所定ブロック数（本例では１６）以下で、先頭ＬＢＡ間の差が所定値（本例では３２）よりも大きければ、判別手段１３は管理情報部と認識する。但し、前述したように、先頭ＬＢＡ間の差が所定値（本例では１２８ブロック）以上の場合は、記録要求ブロック数が所定ブロック数よりも大きくとも判断手段１３は管理情報部と認識する。すなわち、一度データ領域のデータが一時記憶手段の領域Ｄに格納された以後の管理情報部への１ブロックのアクセスに対しては、領域Ａ、領域Ｂまたは領域Ｃを割り当てることになる。」と訂正する。
（５４）【発明の名称】
情報記録再生装置
（５７）【特許請求の範囲】
　【請求項１】　情報を特定のブロック単位で記録再生する記録媒体と、
　前記記録媒体上に情報を記録し前記記録媒体上から情報を再生する記録再生手段と、
　上位機器とのインタフェースと、
　前記記録媒体に対する記録または再生時の上位機器とデータのやりとりを行う際にデータを一時的に格納する一時記憶手段と、
　前記一時記憶手段を少なくとも２領域に分割する一時記憶領域配置手段と、
　前記一次記憶領域配置手段により分割された一時記憶領域を管理情報部用の領域やデータ部用の領域として個別使用する一時記憶領域管理手段と、
　上位機器からの処理要求内容と前記一時記憶手段の各領域の使用状況を示す一時記憶領域管理情報
とか
　前記一時記憶領域管理手段は
、
　【請求項２】　前記判別手段は、上位機器からの記録または再生の処理要求長を測定する手段を有し、前記測定結果が所定長以下であれば管理情報部と認識し、所定長より大きければデータ部と認識する請求項１記載の情報記録再生装置。
　【請求項３】　前記判別手段は、上位機器からの記録または再生の処理要求ブロックの中の
先頭
先頭
先頭
先頭
　【請求項４】　前記判別手段は、前記一時記憶手段の複数の領域の中でデータ部と判別されている一時記憶領域に格納されているデータの中の
先頭
から
先頭
を減算した
前記
　【請求項５】　前記判別手段は、上位機器からの処理要求アドレスが記録媒体の管理情報部のアドレスに対応する場合には管理情報部と認識し、対応しなければデータ領域と認識する請求項１記載の情報記録再生装置。
　【請求項６】　前記一時記憶領域配置手段は、前記一時記憶手段の容量配分を、データ部の一時記憶領域には管理情報部の領域よりも大きな領域を配分するように一時記憶手段を不等分割するか、または複数個設けた一時記憶手段においてデータ部用の一時記憶手段として管理情報部用のものよりも大きな一時記憶手段を割り当てるものである請求項１〜
５
　【請求項７】　一時記憶領域配置手段は前記一時記憶手段の一時記憶領域の配置を、管理情報部の領域をさらに１より大きな複数の領域に分割するか、または１より大きな複数の一時記憶手段を設けるものである請求項１〜
６
　【請求項８】　前記一時記憶手段の各領域の使用状況を示す一時記憶領域管理情報は、各領域に格納しているデータの開始論理ブロックアドレス、格納ブロック数、および再生データか記録要求データかを区別する制御情報を有する請求項１〜
７
　【請求項９】　
請求項２及び３に記載の判別手段の組合せ、または、請求項２及び４に記載の判別手段の組合せから選択した判別手段のうち２以上の複数の判別手段を
　【請求項１０】　
前記一時記憶手段は１つの一時記憶領域ごとに、または管理情報部用またはデータ部ごとに１つの記憶装置を用いたものである請求項１記
　【請求項１１】　
請求項２及び３に記載の判別手段の組合せ、または、請求項２及び４に記載の判別手段の組合せから選択した判別手段のうち２以上の複数の判別手段を備えた請求項１０
　【請求項１２】　情報を特定のブロック単位で記録再生する記録媒体と、
　前記記録媒体上に情報を記録し前記記録媒体上から情報を再生する記録再生手段と、
　上位機器とのインタフェースと、前記記録媒体に対する記録または再生時の上位機器とデータのやりとりを行う際にデータを一時的に格納する一時記憶手段と、
　前記一時記憶手段を少なくとも２領域に分割する一時記憶領域配置手段と、
　前記一次記憶領域配置手段により分割された一時記憶領域を管理情報部用の領域やデータ部用の領域として個別使用し、前記一時記憶手段のうち１または１より大きい数の領域を記録媒体の所定の領域にのみ割り当てて使用する一時記憶領域管理手段とを備えた情報記録再生装置。
　【請求項１３】　前記一時記憶領域の分割および記録媒体への割り当てを、上位機器からの指示に従って任意に変更することを可能にする手段をさらに備えた請求項
１２
　【請求項１４】　前記一時記憶領域管理手段は、前記一時記憶領域の分割および記録媒体への割り当てを、上位機器または使用者のうちいずれか一方によって与えられた設定に従って、規定された割り当て方法の中から自動的に選択するものである請求項
１２
　【請求項１５】　前記一時記憶領域管理手段は、分割された一時記憶手段の一つの領域に対する記録媒体上の領域のアクセス回数が所定の値より小さく、かつ前記記録媒体上の領域とは異なる領域に対するアクセス回数が所定の値より大きい場合に、前記一時記憶手段の分割および記録媒体への割り当てを自動的に変更するものである請求項
１４
　【請求項１６】　前記一時記憶領域領域管理手段は、分割された一時記憶手段の一つの領域に対する記録媒体上の領域のアクセス回数の全アクセス回数に対する比が所定の値より小さく、かつ前記記録媒体上の領域とは異なる領域に対するアクセス回数の全アクセス回数に対する比が所定の値より大きい場合に、前記一時記憶手段の分割および記録媒体への割り当てを自動的に変更するものである請求項
１４
　【請求項１７】　前記分割された一時記憶手段に割り当てられた記録媒体上のデータを、そのデータが上位機種より読み出し要求される前の任意のタイミングで、あらかじめ対応する一時記憶領域に読み込む手段をさらに備えた請求項
１２
１６
　【請求項１８】　複数に分割され、または複数個設けられた一時記憶領域の一時記憶領域管理手段として請求項１
または１２少なくとも何れか一方に
【発明の詳細な説明】
　【０００１】
　【発明の属する技術分野】
　本発明は、記録媒体に記録または再生のためにアクセスするときに一時記憶のために使用するメモリに複数の領域を持たせ、その一方を記録媒体であるディスク上の情報管理部へのアクセスに、他方をデータ部へのアクセスに使用することによってディスクアクセス速度を向上させる情報記録再生装置に関する。
　【０００２】
　【従来の技術】
　近年、情報産業においてアプリケーションやデータの大容量化が進み、それに伴って情報記録再生装置も大容量化が求められてきている。情報記録再生装置の中で、光ディスク装置は大容量の交換可能な記録媒体を用いているために、現在の要望に合致した情報記録再生装置としての期待が大きい。
　【０００３】
　しかし、磁気ディスク装置と比較すると、光ディスク装置は非接触で記録再生を行うために光ディスクの回転数を上げにくい。また光ディスク装置は埃による欠陥や媒体自身の欠陥検出や、他の記録再生装置との互換性確保のために、記録時にベリファイのステップが必要である。このように光ディスク装置は、記録時はライトだけでよい磁気ディスク装置とは異なる不利な点を持っていた。
　【０００４】
　この不利な点を補うために、光ディスク装置は、リード時に要求ブロック数以上をデータバッファに読み込むことにより今後のアクセスに備える先読み式リードキャッシュや、記録時に記録するデータをデータバッファに記録した時点で命令の終了を報告するライトキャッシュ、およびデータバッファを複数ページに分割してディスクの異なる領域のデータを複数の一時記憶領域上に保存することを可能とするマルチページキャッシュなどの構成を備えることによりカバーしてきた。
　【０００５】
　とくにマルチページキャッシュの構成は、領域１をアクセスした後に別の領域２をアクセスしても領域１のデータがバッファ上に残っており、再度領域１をアクセスした場合には、リードならば、バッファ上に残っているデータが読み出され、ライトならば、バッファ上に残っている前のデータが破棄されて余分なアクセスが発生しない。このため、光ディスク装置のパフォーマンスを向上させるのには非常に有効な手段である。
　【０００６】
　以下、このようなマルチページキャッシュの構成を持つ従来の光ディスク装置について、図面を用いて説明する。図１２は従来の光ディスク装置の構成を示すブロック図である。ＣＰＵ１２０は、記録再生手段１２５に指示を出すことによって、インタフェース１２３を通じてホストコンピュータから転送されるデータを、一時記憶手段１２６に一時蓄えた後、記録媒体（光ディスク）１２４上の指定の領域に記録することができる。また逆にＣＰＵ１２０は、記録再生手段１２５に指示を出すことによって、記録媒体１２４上のデータを再生して一時記憶手段１２６に蓄えた後、インターフェース１２３を通じてホストコンピュータに転送することができる。
　【０００７】
　一時記憶手段１２６は、一時記憶領域配置手段１２１により、図１３に示すように領域Ａ、Ｂ、ＣおよびＤに分割されている。一時記憶領域管理手段１２２は、ホストコンピュータからの処理要求のあった領域を、一時記憶手段１２６の各領域に順番に割り当てる。以上のように構成された従来の光ディスク装置について、以下その動作を説明する。図２は、記録媒体上の情報を記録する領域の配置を示すものである。図２において、ホストコンピュータがアクセスしようとするファイルの実体としてのファイルデータは領域３、４、５、および６に、ファイルデータ部内の管理情報は領域７に、そのファイルデータの位置やつながりを示すファイル管理情報は領域１、および２に配置されている。
　【０００８】
　このように記録媒体１２４上に配置されたファイルを、ホストコンピュータが図５に示すような順序で記録する場合に、一時記憶手段１２６の記録領域の使用状況の遷移を示したものが、図１４である。図１４に示すように一時記憶手段１２６の各領域に割り当てられる記録媒体１２４上の領域が入れ替わると、その都度記録媒体１２４への書き込み動作が必要となるため、光ディスク上で頻繁に管理情報部とデータ部との間のアクセス動作が発生する。
　【０００９】
　【発明が解決しようとする課題】
　しかしながら上記の従来の構成では、一時記憶手段の各ページが同一の役割を担うため、等しい容量を持つ領域に分割することになる。そのために容量の大きいページを少数持つ構成の場合にはページの入れ替えが頻繁に発生するために必要なページの記憶データが後からのアクセスで追い出されるという問題点があった。
　【００１０】
　また容量の小さいページを多数持つ構成の場合には要求するデータの存在する領域をサーチするための処理時間が大きいという問題点があった。またデータ部の情報を格納しているページに比べ、管理情報部を割り当てられたページは一時記憶手段の使用量が少なく、全体の一時記憶手段の利用効率が低下するという問題点があった。
　【００１１】
　本発明は上記の問題点を解決するものであり、一時記憶の記憶容量を有効に活用し、記録媒体上のある程度離れた領域に存在する管理情報部とデータ部を交互にアクセスされても、最小限の処理時間でアクセスを行うことのできる情報記録再生装置を提供する事を目的とする。
　【００１２】
　【課題を解決するための手段】
　この目的を解決するために本発明の情報記録再生装置は、その第１の構成は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用する一時記憶領域管理手段と、上位機器からの処理要求内容と前記一時記憶手段の各領域の使用状況を示す一時記憶領域管理情報
とか
、
　【００１３】
　また第２の構成は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用し、前記一時記憶手段のうち１または１より大きい数の領域を記録媒体の所定の領域にのみ割り当てて使用する一時記憶領域管理手段とを備えたものとなっている。
　【００１４】
　本発明は上記した第１の構成において、一時記憶領域配置手段は、一時記憶領域を少なくとも２つ以上個別にアクセスできるように一時記憶手段を分割または複数個設け、管理情報部用の領域とデータ部用の領域として配置する。前記判別手段は、上位機器からの処理要求内容と前記一時記憶手段の各領域の使用状況を示す一時記憶領域管理情報とから、処理要求のあったブロックが前記記録媒体のファイル本体であるデータ部に対応するか、あるいはそのデータ部の位置やつながりを示す管理情報部に対応するかを判別する。前記判別手段が管理情報部と認識すれば前記一時記憶手段の管理情報部用の領域を割り当て、前記判別手段がデータ部と認識すればデータ部用の領域を割り当てるように作用する。
　【００１５】
　第２の構成において、一時記憶領域管理手段は、一時記憶手段のうち１または１より大きい数の領域を記録媒体の所定の領域のアクセスにのみ割り当てる。本発明は以上のような作用により、各種の上位機器に対応した一時記憶手段の有効利用と、管理情報部とデータ部とに対するアクセス回数の削減を行うことにより最小限の処理時間でアクセスを実現することができる。
　【００１６】
　【発明の実施の形態】
　本発明の請求項１に記載の発明は、情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用する一時記憶領域管理手段と、上位機器からの処理要求内容と前記一時記憶手段の各領域の使用状況を示す一時記憶領域管理情報
とか
、
　【００１７】
　請求項２に記載の発明は、前記判別手段として、上位機器からの記録または再生の処理要求長を測定する手段を有し、前記測定結果が所定長以下であれば管理情報部と認識し、所定長より大きければデータ部と認識するものであり、管理情報部とデータ部の認識を高速に行い、一時記憶手段の有効利用と、管理情報部とデータ部とのアクセス回数の削減を行うことにより、アクセスに要する時間を短縮できるという作用を有する。
　【００１８】
　請求項３に記載の発明は、前記判別手段として、上位機器からの記録または再生の処理要求ブロックの中の
先頭
先頭
先頭
先頭
　【００１９】
　請求項４に記載の発明は、前記判別手段として、前記一時記憶手段の複数の領域の中でデータ部と判別されている一時記憶領域に格納されているデータの中の
先頭
から
先頭
を減算した
前記
　【００２０】
　請求項５に記載の発明は、前記判別手段として、上位機器からの処理要求アドレスが記録媒体の管理情報部のアドレスに対応する場合には管理情報部と認識し、対応しなければデータ領域と認識するものであり、簡単な構成で管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００２１】
　請求項
６
５
　【００２２】
　請求項
７
　【００２３】
　請求項
８
７
　【００２４】
　請求項
９
請求項２及び３に記載の判別手段の組合せ、または、請求項２及び４に記載の判別手段の組合せから選択した判別手段のうち２以上の複数の判別手段を備えた情報記録再生装置であり、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００２５】
　請求項
１０
前記一時記憶手段として１つの一時記憶領域ごとに、または管理情報部用またはデータ部ごとに１つの記憶装置を用いたものであり、より大きな容量のデータを扱う際に一時記憶手段の有効利用と、管理情報部とデータ部とのアクセス回数の削減を行うことにより、アクセスに要する時間を短縮できるという作用を有する。
　【００２６】
　請求項
１１
請求項２及び３に記載の判別手段の組合せ、または、請求項２及び４に記載の判別手段の組合せから選択した判別手段のうち２以上の複数の判別手段を備えた請求項１０記載の情報記録再生装置であり、より大きな容量のデータを扱う際においても、管理情報部とデータ部の認識を高速かつ精度良く行い、一時記憶手段の有効利用と、管理情報部とデータ部とのアクセス回数の削減を行うことにより、アクセスに要する時間を短縮できるという作用を有する。
　【００２７】
　請求項
１２
情報を特定のブロック単位で記録再生する記録媒体と、前記記録媒体上に情報を記録し前記記録媒体上から情報を再生する記録再生手段と、上位機器とのインタフェースと、前記記録媒体に対する記録または再生時の上位機器とデータのやりとりを行う際にデータを一時的に格納する一時記憶手段と、前記一時記憶手段を少なくとも２領域に分割する一時記憶領域配置手段と、前記一次記憶領域配置手段により分割された一時記憶領域を管理情報部用の領域やデータ部用の領域として個別使用し、前記一時記憶手段のうち１または１より大きい数の領域を記録媒体の所定の領域にのみ割り当てて使用する一時記憶領域管理手段とを備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２８】
　請求項
１３
前記一時記憶領域の分割および記録媒体への割り当てを、上位機器からの指示に従って任意に変更することを可能にする手段をさらに備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００２９】
　請求項
１４
前記一時記憶領域管理手段として、前記一時記憶領域の分割および記録媒体への割り当てを、上位機器または使用者のうちいずれか一方によって与えられた設定に従って、規定された割り当て方法の中から自動的に選択する一時記憶管理手段を備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００３０】
　請求項
１５
前記一時記憶領域管理手段として、分割された一時記憶手段の一つの領域に対する媒体上の領域のアクセス回数が所定の値より小さく、かつ前記媒体上の領域とは異なる領域に対するアクセス回数が所定の値より大きい場合に、前記一時記憶手段の分割および記録媒体への割り当てを自動的に変更する一時記憶管理手段を備えたものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００３１】
　請求項
１６
前記一時記憶領域管理手段として、分割された一時記憶手段の一つの領域に対する媒体上の領域のアクセス回数の全アクセス回数に対する比が所定の値より小さく、かつ前記媒体上の領域とは異なる領域に対するアクセス回数の全アクセス回数に対する比が所定の値より大きい場合に、前記一時記憶手段の分割および記録媒体への割り当てを自動的に変更するものであり、各種の上位機器に適し、複数の管理領域に分割された容量の大きな記録媒体を扱う際の一時記憶手段の有効利用図り、管理情報部とデータ部とのアクセス回数の削減を行うことにより、アクセスに要する時間を短縮できるという作用を有する。
　【００３２】
　請求項
１７
前記分割された一時記憶手段に割り当てられた前記記録媒体上のデータを、そのデータが上位機器より読み出し要求される前の任意のタイミングで、あらかじめ対応する一時記憶領域に読み込む手段をさらに備えた請求項１２〜１６のいづれかに記載の情報記録再生装置であり、各種の上位機器に適し、複数の管理領域に分割された容量の大きな記録媒体を扱う際の一時記憶手段の有効利用図り、処理の行われない時間を利用することと、管理情報部とデータ部とのアクセス回数の削減を行うことにより、アクセスに要する時間を短縮できるという作用を有する。
　【００３３】
　請求項
１８
または１２少なくとも何れか一方に
　【００３４】
　以下本発明の２つの実施例について図面を参照しながら説明する。
　（実施の形態１）
　以下に図面を参照しながら本発明の第１の実施例を説明する。図１は本発明の光ディスク装置のブロック図である。図１において、ＣＰＵ１０は、記録再生手段１６に指示を出すことによって、インタフェース１４を通じてホストコンピュータから転送されるデータを一時記憶手段１７に蓄えた後、記録媒体１５上の指定の領域に記録することができる。逆にまたＣＰＵ１０は、記録再生手段１６に指示を出すことによって、記録媒体１５上のデータを再生して一時記憶手段１７に蓄えた後、インタフェース１４を通じてホストコンピュータに転送することができる。
　【００３５】
　この際、一時記憶手段１７は一時記憶領域配置手段１１によって図３に示すように分割され、領域Ａ、ＢおよびＣが管理情報部用として使用される。一時記憶領域管理手段１２は、ホストコンピュータからの処理要求に対して一時記憶手段１７の領域の割り当てを管理する。一時記憶領域管理手段１２は一時記憶手段１７の現在の割り当て状態を一時記憶領域管理情報１８に格納する。
　【００３６】
　一時記憶領域管理情報１８は図４のような構成になっており、一時記憶手段１７の分割された各領域に対して、格納データの先頭論理ブロックアドレス（論理ブロックアドレスを以下ＬＢＡと略称する）、格納ブロック数、および制御情報から構成される。ここで論理ブロックとはＳＣＳＩインタフェース規格で規定される上位機器からの処理要求単位である。
　【００３７】
　また上記の制御情報は、格納データ
、
タ、
タ、あるいは
報、または
による連
情報
から
先頭
を減算した差が
　【００３８】
　
ホストコンピュータからの処理要求のあったブロック数が所定値（例えば１６ブロック）以下であって、かつ
から
先頭
を減算した
判別手段１３は
する。ホストコンピュータからの処理要求のあったブロック数が所定値（例えば１６ブロック）以下であっても上記差が
判別手段１３は
　【００３９】
　以上のように構成された本実施例の光ディスク装置について、図２に示すような記録媒体１５上において、データ部として領域３、４、５、および６を有し、ファイルのデータ部内の管理領域として領域７を有し、管理情報部として領域１、および２を有するファイルを、ホストコンピュータが図５に示すような順序で各領域に、図５で例示したブロック長で書き込みを行う場合の動作について図６を用いて説明する。
　【００４０】
　（処理番号１）まず領域１への１ブロックの記録処理要求に対して領域Ｄの格納データの先頭ＬＢＡは格納データが存在しないので、初期化状態のままであるから０である。したがって、領域１の先頭ＬＢＡは領域Ｄの格納データの先頭ＬＢＡである０よりも大きいので、判別手段１３によりデータ部と認識され、一時記憶領域管理手段１２に結果が通知される。一時記憶領域管理手段１２はこの結果を受けて、領域Ｄに割り当てる。
　【００４１】
　（処理番号２）次に領域２に対する１ブロックの記録処理要求に対して領域Ｄの格納データの先頭ＬＢＡは０１００ｈであり、これは領域２の先頭ＬＢＡ０１８０ｈよりも小さいので、判別手段１３によりデータ部と認識され、結果が一時記憶領域管理手段１２に通知され、領域Ｄに割り当てられる。
　【００４２】
　（処理番号３）次に領域７に対する１６ブロックの記録処理要求に対して領域Ｄの格納データの先頭ＬＢＡは０１８０ｈであり、これは領域７の先頭ＬＢＡ５０００ｈよりも小さいので、判別手段１３によりデータ部と認識され、結果が一時記憶領域管理手段１２に通知され、領域Ｄに割り当てられる。
　【００４３】
　（処理番号４）次の領域４に対する
６３
　【００４４】
　（処理番号５）次の領域３に対する１ブロックの記録処理要求に対して、記録要求ブロック数は１であるが、領域Ｄの格納データの先頭ＬＢＡである３００１ｈ
から
先頭
を減算した
前述したように領域Ｄの格納データの先頭ＬＢＡと記録要求ＬＢＡとの差が１であるため、判別手段１３は領域３を
、
　【００４５】
　（処理番号６）次の領域１に対する２度めの１ブロックの記録処理要求に対して、領域Ｄの格納データの先頭ＬＢＡは３０００ｈであるから、領域１の
先頭
　【００４６】
　（処理番号７）次の領域２に対する２度めの１ブロックの記録処理要求に対しては、同様に処理され、一時記憶領域管理手段１２は領域Ｂに割り当てる。
　【００４７】
　（処理番号８）次に領域７に対する１６ブロックの記録処理要求に対して領域Ｄの格納データの先頭ＬＢＡは３０００ｈであり、これは領域７の先頭ＬＢＡ５０００ｈとの差をとれば負であるが、
領域７の記録処理要求は１６ブロックであるため所定値の３２より小さく、その上
前述したように
　【００４８】
　（処理番号９）次の領域６に対する
６３
先ず記録要求ブロック数と所定ブロック数（本例では１６）とを比較し、次に領域Ｄの格納データの先頭ＬＢＡから記録要求の先頭ＬＢＡを減算した差と所定値（本例では３２）との比較を行い、その結果記録要求ブロック数が所定ブロック数（本例では１６）以下で、先頭ＬＢＡ間の差が所定値（本例では３２）よりも大きければ、判別手段１３は管理情報部と認識する。但し、前述したように、先頭ＬＢＡ間の差が所定値（本例では１２８ブロック）以上の場合は、記録要求ブロック数が所定ブロック数よりも大きくとも判断手段１３は管理情報部と認識する。すなわち、一度データ領域のデータが一時記憶手段の領域Ｄに格納された
、領域Ｂ
Ｃ
　【００４９】
　したがって、データ部は一時記憶手段１７の領域Ｄで、管理情報部は一時記憶手段１７の領域Ａ、Ｂ、またはＣで処理されることになり、管理情報部とデータ部との不要なアクセス回数を削減することが可能となる。また、記録データのデータ転送の終了時点で処理の正常終了をホストコンピュータに通知するライトバックアルゴリズムを適用することにより、記録回数を減らすことができ、高速化を図ることが可能である。この場合、記録データ転送時点で、所定の領域の一時記憶領域管理情報の格納ブロック数を設定するとともに、制御情報を記録要求データに設定する。その後、ＣＰＵ１０はこの一時記憶領域管理情報を参照して記録要求データを記録再生手段１６を駆動して、記録媒体１５に記録することになる。
　【００５０】
　本実施例では管理情報部はＬＢＡの小さい領域に配置されるもので、かつ所定のアクセス要求ブロック数以下の場合と連続アクセスされた領域から所定のブロック数離れていてかつ所定のアクセス要求ブロック数以下の場合を例示している。しかし、予めホストコンピュータから、例えばＳＣＳＩインタフェース規格で規定されるＭＯＤＥパラメータを利用するか、または転送長０のＲＥＡＤコマンドを利用することなどの方法によりアドレス情報を通知できれば、管理情報部の開始ＬＢＡと終了ＬＢＡを認識でき、その範囲に限って一時記憶手段の管理情報部用の領域を割り当てることも可能である。
　【００５１】
　また、本実施例では領域Ｄの格納データの先頭ＬＢＡの初期化値を０としたが、初期化値を適切な値（例えば４００ｈ）に選べば、最初の管理情報部への１ブロックの処理要求から領域Ａ、ＢまたはＣに割り当てることが可能である。ところで通常ＯＳは、それぞれ固有の管理情報部を記録媒体上に持っており、その領域はデータ読み出し時、記録時とも、頻繁にアクセスされることが多い。例えばＤＯＳの場合、ＬＢＡ０から順にシステム予約領域、ＦＡＴ、ルートディレクトリなどのＤＯＳ管理情報部、ユーザデータ部から構成されているが、この場合、ＤＯＳ管理情報部はファイルを書き込む場合も、読み出す場合にも頻繁にアクセスされるが、一つのファイルを処理する場合には、高々数ブロックがアクセスされるに過ぎない。また、一般に管理情報部へのアクセスは１ブロックで行われる。したがって、管理情報部用の一時記憶領域としては小容量でかつ複数の領域が適しており、一方データ部は長い領域を扱うために、できるだけ大容量を割り当てることが望ましい。また、本発明は、上位機器からの要求内容によって、その要求領域が管理情報部とデータ部の何れに該当するかを判別可能な構成を取るため、管理情報部を固定領域として認識する方法よりも高い汎用性を有する。これは、特に記録媒体が複数のパーティションに分割される場合や、記録媒体のデータ領域内に管理情報部を持つような場合に効果を発揮するものである。
　【００５２】
　（実施の形態２）本発明の情報記録再生装置の第２の実施例を以下に示す。図７は本発明の光ディスク装置のブロック図である。図７において、ＣＰＵ７０は、記録再生手段７６に指示を出すことによって、インタフェース７４を通じてホストコンピュータから転送されるデータを一時記憶手段７７を介して記録媒体７５上の指定の領域に記録することができる。逆にＣＰＵ７０は、記録再生手段７６に指示を出すことによって、記録媒体７５上のデータを再生して一時記憶手段７７に蓄えた後、インターフェース７４を通じてホストコンピュータに転送することができる。
　【００５３】
　この際、一時記憶手段７７は一時記憶領域配置手段７１によって一時記憶領域管理情報７８で指定されるように分割され、一時記憶領域管理手段７２によって記録媒体７５上のアクセスする領域に応じて使用される一時記憶手段７７の領域が決定する。またユーザが使用する環境に応じて、管理手段切替スイッチ７３が一時記憶領域管理情報７８の指定内容を切り替えることができる。この管理手段切替スイッチ７３の設定は、上位機器からインタフェースを通じて設定されるか、または本装置側で物理的な手段によって設定される。
　【００５４】
　以上のように構成された光ディスク装置において、一時記憶領域管理情報を使用した一時記憶手段の分割および割り当てについて、図８および図９を用いて説明する。一時記憶領域管理情報７８は図８のような構成になっており、分割された各領域に対して、一時記憶領域上の先頭アドレス、セクタ数、記録媒体上の割り当て領域が明示される。これらの値はＣＰＵからアクセス可能な一時記憶領域上に存在し、この一時記憶領域管理情報７８を元に割り当てが行われる。図８の例の場合、一時記憶領域の先頭からアドレス３ＦＦＦｈまで（領域Ａ）は第１の固定領域であり、対応する記録媒体上のＬＢＡ＝０〜３１のアクセスは必ずこの領域を介して行われる。続いて一時記憶領域のアドレス４０００ｈ〜７ＦＦＦｈまで（領域Ｂ）は第２の固定領域で、記録媒体上のＬＢＡ＝３２〜６３までのアクセスがこの領域を介して行われる。残りの一時記憶領域アドレス８０００ｈ以降（領域Ｃ）は記録媒体上のＬＢＡ＝６４以降の領域のアクセスに使用される。
　【００５５】
　図８の例の一時記憶領域管理情報を実際の一時記憶手段および記録媒体上のアドレスによって示したものが図９である。一時記憶手段上の領域Ａ、Ｂは記録媒体上の領域１および２に固定的に割り当てられるため、例えば領域１に含まれるＬＢＡ＝２へのアクセスが行われる場合は一時記憶手段上の領域Ａが使用されることになり、他の領域Ｂ、Ｃのデータは一切壊さない。このような領域のアクセスに対しては使用される一時記憶手段の領域が１つに決定する。
　【００５６】
　一方、一時記憶領域のＬＢＡ＝６４以降の領域にアクセスが行われる場合は、適宜一時記憶領域のアドレス８０００ｈ以降の領域が使用される。したがってＬＢＡ＝１０００にアクセスする場合は領域３が一時記憶領域の８０００ｈ以降に割り当てられ、またＬＢＡ＝１００００にアクセスする場合は領域４が一時記憶領域の８０００ｈ以降に割り当てられることになる。
　【００５７】
　次に図１０を用いて一時記憶領域管理情報の変更および管理手段切替スイッチによる一時記憶領域管理情報の自動切替について説明する。第１の実施例で挙げた一時記憶領域管理情報の各領域の大きさ、割り当ておよび領域数はＣＰＵの管理する一時記憶手段上に配置され、これを例えば汎用インタフェースの１つであるＳＣＳＩインタフェース規格で定義されるモードページに対応させることによって、上位機器からインタフェースを通じてＳＣＳＩのコマンドを用いて設定することが可能である。この場合、実際に一時記憶手段を機能させる際にその設定に基づいて動作するため、上位機器の想定するように一時記憶手段の役割を変えることができる。例えばホストのＯＳ（Ｏｐｅｒａｔｉｎｇ　Ｓｙｓｔｅｍ）がディレクトリやファイルの管理領域と定義している領域を固定領域とすることにより、一時記憶領域データを無駄にしない、効率の良いアクセスが可能となる。
　【００５８】
　これらの設定は前記のように上位機器から任意に設定できるとともに、あらかじめ与えられた数種類の設定の中から選択ができるという手段を持つ。これが管理手段切替スイッチによる一時記憶領域管理情報自動切り替え機能である。また管理手段切替スイッチ７３はディップスイッチのような物理的な手段で装置側で設定することもでき、各設定に応じてマッキントッシュ対応、ＤＯＳ対応、ＵＮＩＸ対応のような各ＯＳに対応したモードを持つ。各モードに設定することにより各種ＯＳで使用する際に必要な設定が行われる。それに加えて、このスイッチに対応して一時記憶手段７７の一時記憶領域管理情報の内容を、設定したＯＳに適した、あらかじめ与えた値に変更する手段を有するものである。図１０はこの一例を示したものである。例えば設定されたモードがＭＳ−ＤＯＳの場合は、領域ＡにＬＢＡ＝０〜６３を固定的に割り付け、領域ＢにＬＢＡ＝６４以降を割り当てる。なお管理手段切替スイッチ７３は物理的なスイッチの他に、ＣＰＵ７０の管理する一時記憶手段７７上に設定ビットを設け、それに基づいて切替を行う方法もある。
　【００５９】
　次に図９および図１１を用いて一時記憶領域管理情報の自動修正機能について説明する。上記の例では、設定された一時記憶領域管理情報７８に基づいて一時記憶手段７７が分割されて記録媒体７５に対するアクセスが行われるが、その際に固定領域のアクセス回数が所定の値（例えば数回）より少なく、かつ前記固定領域とは異なる領域のアクセス回数が所定の値（例えば数十回）より多い場合、一時記憶領域配置手段７１は一時記憶領域管理情報７８の情報を参照して、固定領域を固定領域とは異なる領域と入れ替える。また固定領域に対応した記録媒体上のアドレスがずれる場合に対応するために、一時記憶手段７７の固定領域の容量を大きくしたり、または固定領域の割当領域を大きくすることが可能である。例えば、図９のように一時記憶領域が割当られた後に、ＬＢＡ＝３２〜６３に対してアクセスがなく、ＬＢＡ＝７９〜９０に対してアクセスが所定回数以上行われた場合を仮定すると、図１１のように一時記憶領域の割当が変更される。
　【００６０】
　なお上記の例では固定領域のアクセス回数と所定値との比較により一時記憶領域管理情報が更新される場合について述べたが、全アクセス回数に対する固定領域のアクセス回数の比と所定値の比較によって一時記憶領域管理情報を変更することも可能である。なお、これまで説明した実施例１および実施例２の一時記憶手段は、１つの記憶装置を複数の領域に分割するものとして説明したが、１つの記憶装置を１つの領域のために用い、複数の記憶装置によって複数の一時記憶領域の機能を果たすようにしてもよい。この目的は、たとえば情報管理部はデータ量が少ないが、高速の処理を必要とし、データ部は処理速度も大切であるが、大きなデータ量が必要である。このような必要に応じて一時記憶手段としの記憶装置を使い分ければコスト的にも有利であり、効率も高い。
　【００６１】
　またデータ部用には１つの記憶装置を使い、情報管理部用には１つの記憶装置を複数の一時記憶領域に分割して使うというように、組み合わせて用いても差し支えない。また、複数の領域に分割された一時記憶手段の１領域、または複数個設けた一時記憶手段の１個を１つの領域としたとき、一時記憶管理手段は、この一時記憶領域ごとに上記で説明した異なる一時記憶管理手段を用いることも可能である。
　【００６２】
　なお、ここで一時記憶手段とはハードウエアの特性ではなく、その使い方が一時記憶的であるということであって、たとえばハードディスクやフラッシュメモリー等の永久的な記憶装置を使っても差し支えない。なお本発明は、分割された一時記憶領域の使用方法について言及するものではないが、分割された各領域に先読みキャッシュ、ライトバック等、適当なキャッシュアルゴリズムを導入することにより装置をより高速に動作させることができる。特に先読みキャッシュを導入する場合には、最初にアクセスされた管理情報に連続する所定の領域を一時記憶領域内に持つことになり、頻繁に使用されると予測される管理情報部に対するアクセスを高速に行うことができるようになる。また、ライトバックアルゴリズムを適用することによって、同一箇所に記録が繰り返される可能性のある管理情報部に対する記録動作をある程度まとめて行うことが可能となるため、例えば相変化方式の記録媒体のように最大書き換え回数が比較的小さい記録媒体の耐用年数を増加させることが可能となる。また、一時記憶手段の有効利用により、低消費エネルギー、低発熱、低騒音、耐久性向上の副次効果が得られる。
　【００６３】
　ここで、一時記憶手段７７は半導体メモリ、磁気メモリ、光メモリに限定するものではなく、光ディスク等大容量記録媒体へ実際に記録するよりも短い時間で一時記憶が終了するものであればよく、その記憶容量は、通常ホストコンピュータから送られる１回の情報量よりも大きい容量であればよい。なお実施例では記録媒体には光ディスクを、記録再生手段には光ディスク装置を用いて説明したが、上記に限定されずホストコンピュータ等の上位装置の指令にしたがって情報の記録再生を行う磁気方式、光方式等の方式を問わず、物理的アクセスを伴う装置に応用可能なことは自明である。また、管理情報部の判別手法と一時記憶領域の割り当て手法はホストキャッシュにも応用可能である。
　【００６４】
　以上のように本発明は、第１の実施例では一時記憶手段を複数の個別にアクセスできる領域に配置し、記録媒体上の管理情報部とデータ部とを判別する判別手段の判別結果によって一時記憶管理手段は割り当てる領域を切り換え、データとその管理情報とを常に１対で一時記憶手段の別領域上に蓄積管理しようとするものである。これにより各種ＯＳを介したアクセスに対して、一時記憶手段上のデータを有効に活用することが可能となるとともに、一時記憶手段上の情報が使用できるため、記録媒体上の管理情報部とデータ部とに対するアクセス回数を削減することにより、処理の高速化を実現している。また、比較的長いブロックが配置されるデータ部に一時記憶手段の大きなページを割り当てる配置とすることにより、一時記憶手段の一層の有効活用が可能となる。
　【００６５】
　また、第２の実施例では一時記憶手段を任意に分割し、記録媒体上の領域に対応して割り当てる手段を有するものである。これにより各種の上位機器からのアクセスのパターンに対して、一時記憶手段上のデータを有効に活用することが可能となる。また分割した一時記憶領域を記録媒体上の固定領域に割り当てることにより一時記憶手段上のデータのアクセスの処理時間を小さくすることができる。
　【００６６】
　さらに、前記の一時記憶領域の割当を上位機器から指定する手段および自動的に割当る手段によって、上位機器に対応した、より効率の良い一時記憶手段活用を提供することができる。
　【００６７】
　【発明の効果】
　以上のように本発明は、一時記憶手段を複数の個別にアクセスできる様に配置し、記録媒体上の管理情報部とデータ部とを判別する手段を有し、その判別結果によって割り当てる領域を切り換える手段を有し、データとその管理情報を常に１対で一時記憶上手段に蓄積管理しようとするものである。これにより各種ＯＳを介したアクセスに対して、一時記憶手段上のデータを有効に活用することが可能となるとともに、一時記憶手段上の情報が使用できるため、記録媒体上の管理情報部とデータ部とのアクセス回数を削減することにより、処理の高速化を実現している。また、比較的長いブロックが配置されるデータ部に一時記憶領域の大きなページを割り当てる配置とすることにより、一時記憶手段の一層の有効活用が可能となる。
　【００６８】
　また、一時記憶手段を任意に分割し、記録媒体上の領域に割り当てる手段を有するものである。これにより各種の上位機器からのアクセスのパターンに対して、一時記憶手段上のデータを有効に活用するととが可能となる。また分割した一時記憶領域を固定領域に割り当てることにより一時記憶上のデータのアクセスの処理時間を小さくすることができる。
　【００６９】
　さらに、前記の一時記憶領域の割当を上位機器から指定する手段および自動的に割当る手段によって、上位機器に応じた、より効率の良い一時記憶領域活用を提供する事ができる。
【図面の簡単な説明】
　【図１】
　本発明の一実施例の構成を示す図
　【図２】
　記録媒体上のファイルのデータ配置を示す図
　【図３】
　一時記憶領域の領域配置図
　【図４】
　一時記憶領域管理情報図
　【図５】
　ホストコンピュータからのアクセス順序図
　【図６】
　実施例におけるアクセス順序と一時記憶領域の割当状態の遷移を示す図
　【図７】
　本発明実施例の装置構成を示す図
　【図８】
　一時記憶領域の一時記憶管理情報の一例を示す図
　【図９】
　一時記憶領域の割当を示す図の一例を示す図
　【図１０】
　一時記憶領域の自動割り当てを示す図の一例を示す図
　【図１１】
　一時記憶領域の割当が変更された場合を示す図の一例を示す図
　【図１２】
　従来例の構成を示す図
　【図１３】
　従来例の一時記憶領域の領域配置図
　【図１４】
　従来例のアクセス順序と一時記憶領域の割り当て状態の遷移を示す図
　【符号の説明】
　１０　ＣＰＵ
　１１　一時記憶領域配置手段
　１２　一時記憶領域管理手段
　１３　判別手段
　１４　上位機器とのインタフェース
　１５　記録媒体
　１６　記録再生手段
　１７　一時記憶手段
　１８　一時記憶領域管理情報
　７０　ＣＰＵ
　７１　一時記憶配置手段
　７２　一時記憶管理手段
　７３　管理手段切替スイッチ
　７４　上位機器とのインタフェース
　７５　記録媒体
　７６　記録再生手段
　７７　一時記憶領域
　７８　一時記憶領域管理情報
　１２０　ＣＰＵ
　１２１　一時記憶領域配置手段
　１２２　一時記憶領域管理手段
　１２３　上位機器とのインタフェース
　１２４　記録媒体
　１２５　記録再生手段
　１２６　一時記憶手段